(57)【特許請求の範囲】
【請求項１】
駅の構内である第１エリアの内外、及び、前記第１エリアに囲まれた特急専用プラットホームである第２エリアの内外で、コンテンツの再生を、許可及び禁止し、可搬型のＩＣメモリカードである再生制御装置であって、
特急車両への乗車を示す電子特急券を記憶している記憶手段と、
（ａ）外部から第１エリアに入場するときに、第１エリアと外部との間に設置された自動改札機である第１ゲート装置から、外部から第１エリアへの入場を示す第１入場情報を取得し、（ｂ）第１エリアから外部へ退場するときに、前記第１ゲート装置から、第１エリアから外部への退場を示す第１退場情報を取得し、（ｃ）第１エリアから第２エリアへ入場するときに、第１エリアと第２エリアとの間に設置された特急用改札機である第２ゲート装置から、第１エリアから第２エリアへの入場を示す第２入場情報を取得する取得手段と、
前記第１入場情報を取得する場合、コンテンツの再生レベルをコンテンツのうちプレビューの部分のみ再生できることを示す第１再生レベルに書き換え、前記第２入場情報を取得する場合、コンテンツの再生レベルをコンテンツ全てを再生できることを示す第２再生レベルに書き換え、前記第１退場情報を取得する場合、コンテンツの再生レベルをコンテンツの再生ができないことを示す第３再生レベルに書き換え、前記第１再生レベル及び前記第２再生レベルに従って、前記コンテンツの再生を許可し、前記第３再生レベルに従って、前記コンテンツの再生を禁止する再生制御手段とを備え、
前記第１ゲート装置は、前記再生制御装置が前記電子特急券を記憶している場合、前記電子特急券の有効日と現在の日付とを比較し、両者が一致する場合、前記再生制御装置へ、前記電子特急券を確認したことを示す特急券確認通知を送信し、
前記再生制御手段は、前記特急券確認通知を受信すると、コンテンツの再生レベルを前記第２再生レベルに書き換える
ことを特徴とする再生制御装置。
【請求項２】
前記取得手段は、前記第１入場情報として前記コンテンツを暗号化して生成された暗号化コンテンツを復号するための鍵情報を取得し、
前記再生制御手段は、取得した前記鍵情報を記憶し、記憶している前記鍵情報を出力することで、前記コンテンツの再生を許可する
ことを特徴とする請求項１に記載の再生制御装置。
【請求項３】
前記取得手段は、前記第１退場情報として、前記鍵情報の消去命令を取得し、
前記再生制御手段は、取得した前記消去命令に従って、記憶している前記鍵情報を消去することで、前記コンテンツの再生を禁止する
ことを特徴とする請求項２に記載の再生制御装置。
【請求項４】
前記コンテンツは、第１部分コンテンツと第２部分コンテンツとを含んで構成され、
前記再生制御手段は、前記鍵情報を取得する場合、前記コンテンツのうち前記第１部分コンテンツの再生を許可し、
前記再生制御装置は、さらに、前記第１ゲート内で提供されるサービスに関するサービス情報を取得する情報取得手段を備え、
前記再生制御手段は、前記サービス情報を取得する場合に、前記第２部分コンテンツの再生を許可する
ことを特徴とする請求項１に記載の再生制御装置。
【請求項５】
前記再生制御手段は、前記鍵情報を取得する場合、所定の時間内に限り、前記コンテンツの再生を許可し、
前記再生制御装置は、さらに、前記第１ゲート内で提供されるサービスに関するサービス情報を取得する情報取得手段を備え、
前記再生制御手段は、さらに、前記サービス情報を取得する場合に、前記コンテンツの再生に係る時間の制限を解除する
ことを特徴とする請求項１に記載の再生制御装置。
【請求項６】
前記再生制御装置は、さらに、通貨と同様に使用される電子マネーを記憶している電子マネー記憶手段と、
前記電子マネーを読み出し、読み出した前記電子マネーにより、前記コンテンツの視聴に係る料金の精算を行う精算手段と
を備えることを特徴とする請求項１に記載の再生制御装置。
【請求項７】
前記精算手段は、前記コンテンツの再生時間を計測し、前記再生時間に応じた前記料金を精算する
ことを特徴とする請求項６に記載の再生制御装置。
【請求項８】
前記精算手段は、再生された前記コンテンツのデータ量を算出し、前記データ量に応じた前記料金を精算する
ことを特徴とする請求項６に記載の再生制御装置。
【請求項９】
前記コンテンツは、デジタル著作物及びデジタル広告から構成され、
前記精算手段は、前記デジタル広告の再生に応じた割引金額を算出し、前記デジタル著作物の視聴に係る金額から前記割引金額を差し引いて前記料金を算出する
ことを特徴とする請求項６に記載の再生制御装置。
【請求項１０】
前記再生制御装置は、さらに、前記コンテンツ上の再生開始位置を示す開始情報を取得する開始情報取得手段を備え、
前記再生制御手段は、前記鍵情報と合わせて、前記開始情報を出力することで、前記コンテンツの再生を許可する
ことを特徴とする請求項１に記載の再生制御装置。
【請求項１１】
前記再生制御装置は、さらに、
前記開始情報を記憶している開始情報記憶手段と、
前記コンテンツ上で再生が中断された位置を示す中断情報を取得し、取得した中断情報を前記開始情報として、前記開始情報記憶手段に書き込む書込手段とを備え、
前記取得手段は、前記開始情報記憶手段から前記開始情報を取得する
ことを特徴とする請求項１０に記載の再生制御装置。
【請求項１２】
前記再生制御装置は、さらに、通貨と同様に使用される電子マネーを記憶している電子マネー記憶手段と、
前記電子マネーを読み出し、読み出した前記電子マネーにより、前記第１ゲート内において提供されるサービスの利用に係る料金を精算する精算手段と
を備えることを特徴とする請求項１に記載の再生制御装置。
【請求項１３】
前記精算手段は、前記料金として、交通機関の運賃を精算する
ことを特徴とする請求項１２に記載の再生制御装置。
【請求項１４】
前記精算手段は、前記料金として、前記第１ゲート内で催される各種イベントのチケット代金を精算する
ことを特徴とする請求項１２に記載の再生制御装置。
【請求項１５】
前記再生制御装置は、さらに、
前記再生制御手段によって、再生が禁止される場合に、前記第１ゲート内において、前記コンテンツの再生が可能である旨を通知する通知手段
を備えることを特徴とする請求項１に記載の再生制御装置。
【請求項１６】
前記再生制御装置は、さらに、前記コンテンツを暗号化して生成された暗号化コンテンツを再生するための鍵情報を記憶している鍵記憶手段を備え、
前記再生制御手段は、前記第１入場情報を取得する場合に、前記鍵情報を出力することにより前記コンテンツの再生を許可し、前記第１退場情報を取得する場合に、前記鍵情報の出力を拒否することにより前記コンテンツの再生を禁止する
ことを特徴とする請求項１に記載の再生制御装置。
【請求項１７】
前記取得手段は、前記第１入場情報として前記コンテンツを取得し、
前記再生制御手段は、取得した前記コンテンツを記憶し、記憶している前記コンテンツを出力することで、前記コンテンツの再生を許可する
ことを特徴とする請求項１に記載の再生制御装置。
【請求項１８】
前記取得手段は、前記第１退場情報として前記コンテンツの消去命令を取得し、
前記再生制御手段は、前記消去命令に従って、記憶している前記コンテンツを消去することで、前記コンテンツの再生を禁止する
ことを特徴とする請求項１７に記載の再生制御装置。
【請求項１９】
前記取得手段は、前記第２エリアから前記第１エリアに退場するときに、前記第２ゲート装置から、前記第２エリアからの退場を示す第２退場情報を取得し、
前記再生制御手段は、前記第２退場情報を取得する場合に、前記第２再生レベルを前記第１再生レベルに書き換える
ことを特徴とする請求項１に記載の再生制御装置。
【請求項２０】
駅の構内である第１エリアの内外、及び、前記第１エリアに囲まれた特急専用プラットホームである第２エリアの内外で、コンテンツの再生を、許可及び禁止し、可搬型のＩＣメモリカードである再生制御装置と、第１エリアと外部との間に設置された自動改札機である第１ゲート装置と、第１エリアと第２エリアとの間に設置された特急用改札機である第２ゲート装置とから構成される再生制御システムであって、
前記再生制御装置は、
特急車両への乗車を示す電子特急券を記憶している記憶手段と、
（ａ）外部から第１エリアに入場するときに、前記第１ゲート装置から、外部から第１エリアへの入場を示す第１入場情報を取得し、（ｂ）第１エリアから外部へ退場するときに、前記第１ゲート装置から、第１エリアから外部への退場を示す第１退場情報を取得し、（ｃ）第１エリアから第２エリアへ入場するときに、前記第２ゲート装置から、第１エリアから第２エリアへの入場を示す第２入場情報を取得する取得手段と、
前記第１入場情報を取得する場合、コンテンツの再生レベルをコンテンツのうちプレビューの部分のみ再生できることを示す第１再生レベルに書き換え、前記第２入場情報を取得する場合、コンテンツの再生レベルをコンテンツ全てを再生できることを示す第２再生レベルに書き換え、前記第１退場情報を取得する場合、コンテンツの再生レベルをコンテンツの再生ができないことを示す第３再生レベルに書き換え、前記第１再生レベル及び前記第２再生レベルに従って、前記コンテンツの再生を許可し、前記第３再生レベルに従って、前記コンテンツの再生を禁止する再生制御手段とを備え、
前記第１ゲート装置は、前記再生制御装置が前記電子特急券を記憶している場合、前記電子特急券の有効日と現在の日付とを比較し、両者が一致する場合、前記再生制御装置へ、前記電子特急券を確認したことを示す特急券確認通知を送信し、
前記再生制御手段は、前記特急券確認通知を受信すると、コンテンツの再生レベルを前記第２再生レベルに書き換える
ことを特徴とする再生制御システム。
【請求項２１】
駅の構内である第１エリアの内外、及び、前記第１エリアに囲まれた特急専用プラットホームである第２エリアの内外で、コンテンツの再生を、許可及び禁止し、可搬型のＩＣメモリカードである再生制御装置において用いられる再生制御方法であって、
前記再生制御装置は、特急車両への乗車を示す電子特急券を記憶している記憶手段を備え、
前記再生制御方法は、
前記再生制御装置により、（ａ）外部から第１エリアに入場するときに、第１エリアと外部との間に設置された自動改札機である第１ゲート装置から、外部から第１エリアへの入場を示す第１入場情報を取得し、（ｂ）第１エリアから外部へ退場するときに、前記第１ゲート装置から、第１エリアから外部への退場を示す第１退場情報を取得し、（ｃ）第１エリアから第２エリアへ入場するときに、第１エリアと第２エリアとの間に設置された特急用改札機である第２ゲート装置から、第１エリアから第２エリアへの入場を示す第２入場情報を取得する取得ステップと、
前記再生制御装置により、前記第１入場情報を取得する場合、コンテンツの再生レベルをコンテンツのうちプレビューの部分のみ再生できることを示す第１再生レベルに書き換え、前記第２入場情報を取得する場合、コンテンツの再生レベルをコンテンツ全てを再生できることを示す第２再生レベルに書き換え、前記第１退場情報を取得する場合、コンテンツの再生レベルをコンテンツの再生ができないことを示す第３再生レベルに書き換え、前記第１再生レベル及び前記第２再生レベルに従って、前記コンテンツの再生を許可し、前記第３再生レベルに従って、前記コンテンツの再生を禁止する再生制御ステップとを含み、
前記第１ゲート装置は、前記再生制御装置が前記電子特急券を記憶している場合、前記電子特急券の有効日と現在の日付とを比較し、両者が一致する場合、前記再生制御装置へ、前記電子特急券を確認したことを示す特急券確認通知を送信し、
前記再生制御ステップは、前記特急券確認通知を受信すると、コンテンツの再生レベルを前記第２再生レベルに書き換える
ことを特徴とする再生制御方法。
【請求項２２】
駅の構内である第１エリアの内外、及び、前記第１エリアに囲まれた特急専用プラットホームである第２エリアの内外で、コンテンツの再生を、許可及び禁止し、可搬型のＩＣメモリカードである再生制御装置に搭載される集積回路であって、
特急車両への乗車を示す電子特急券を記憶している記憶手段と、
（ａ）外部から第１エリアに入場するときに、第１エリアと外部との間に設置された自動改札機である第１ゲート装置から、外部から第１エリアへの入場を示す第１入場情報を取得し、（ｂ）第１エリアから外部へ退場するときに、前記第１ゲート装置から、第１エリアから外部への退場を示す第１退場情報を取得し、（ｃ）第１エリアから第２エリアへ入場するときに、第１エリアと第２エリアとの間に設置された特急用改札機である第２ゲート装置から、第１エリアから第２エリアへの入場を示す第２入場情報を取得する取得手段と、
前記第１入場情報を取得する場合、コンテンツの再生レベルをコンテンツのうちプレビューの部分のみ再生できることを示す第１再生レベルに書き換え、前記第２入場情報を取得する場合、コンテンツの再生レベルをコンテンツ全てを再生できることを示す第２再生レベルに書き換え、前記第１退場情報を取得する場合、コンテンツの再生レベルをコンテンツの再生ができないことを示す第３再生レベルに書き換え、前記第１再生レベル及び前記第２再生レベルに従って、前記コンテンツの再生を許可し、前記第３再生レベルに従って、前記コンテンツの再生を禁止する再生制御手段とを備え、
前記第１ゲート装置は、前記再生制御装置が前記電子特急券を記憶している場合、前記電子特急券の有効日と現在の日付とを比較し、両者が一致する場合、前記再生制御装置へ、前記電子特急券を確認したことを示す特急券確認通知を送信し、
前記再生制御手段は、前記特急券確認通知を受信すると、コンテンツの再生レベルを前記第２再生レベルに書き換える
ことを特徴とする集積回路。
【請求項２３】
駅の構内である第１エリアの内外、及び、前記第１エリアに囲まれた特急専用プラットホームである第２エリアの内外で、コンテンツの再生を、許可及び禁止し、可搬型のＩＣメモリカードである再生制御装置で用いられる再生制御プログラムを記録しているコンピュータ読み取り可能な記録媒体であって、
前記再生制御装置は、特急車両への乗車を示す電子特急券を記憶している記憶手段を備え、
コンピュータである前記再生制御装置に、
（ａ）外部から第１エリアに入場するときに、第１エリアと外部との間に設置された自動改札機である第１ゲート装置から、外部から第１エリアへの入場を示す第１入場情報を取得し、（ｂ）第１エリアから外部へ退場するときに、前記第１ゲート装置から、第１エリアから外部への退場を示す第１退場情報を取得し、（ｃ）第１エリアから第２エリアへ入場するときに、第１エリアと第２エリアとの間に設置された特急用改札機である第２ゲート装置から、第１エリアから第２エリアへの入場を示す第２入場情報を取得する取得ステップと、
前記第１入場情報を取得する場合、コンテンツの再生レベルをコンテンツのうちプレビューの部分のみ再生できることを示す第１再生レベルに書き換え、前記第２入場情報を取得する場合、コンテンツの再生レベルをコンテンツ全てを再生できることを示す第２再生レベルに書き換え、前記第１退場情報を取得する場合、コンテンツの再生レベルをコンテンツの再生ができないことを示す第３再生レベルに書き換え、前記第１再生レベル及び前記第２再生レベルに従って、前記コンテンツの再生を許可し、前記第３再生レベルに従って、前記コンテンツの再生を禁止する再生制御ステップとを実行させ、
前記第１ゲート装置は、前記再生制御装置が前記電子特急券を記憶している場合、前記電子特急券の有効日と現在の日付とを比較し、両者が一致する場合、前記再生制御装置へ、前記電子特急券を確認したことを示す特急券確認通知を送信し、
前記再生制御ステップは、前記特急券確認通知を受信すると、コンテンツの再生レベルを前記第２再生レベルに書き換える
ことを特徴とする再生制御プログラムを記録している記録媒体。
【請求項２４】
駅の構内である第１エリアの内外、及び、前記第１エリアに囲まれた特急専用プラットホームである第２エリアの内外で、コンテンツの再生を、許可及び禁止し、可搬型のＩＣメモリカードである再生制御装置で用いられる再生制御プログラムであって、
前記再生制御装置は、特急車両への乗車を示す電子特急券を記憶している記憶手段を備え、
コンピュータである前記再生制御装置に、
（ａ）外部から第１エリアに入場するときに、第１エリアと外部との間に設置された自動改札機である第１ゲート装置から、外部から第１エリアへの入場を示す第１入場情報を取得し、（ｂ）第１エリアから外部へ退場するときに、前記第１ゲート装置から、第１エリアから外部への退場を示す第１退場情報を取得し、（ｃ）第１エリアから第２エリアへ入場するときに、第１エリアと第２エリアとの間に設置された特急用改札機である第２ゲート装置から、第１エリアから第２エリアへの入場を示す第２入場情報を取得する取得ステップと、
前記第１入場情報を取得する場合、コンテンツの再生レベルをコンテンツのうちプレビューの部分のみ再生できることを示す第１再生レベルに書き換え、前記第２入場情報を取得する場合、コンテンツの再生レベルをコンテンツ全てを再生できることを示す第２再生レベルに書き換え、前記第１退場情報を取得する場合、コンテンツの再生レベルをコンテンツの再生ができないことを示す第３再生レベルに書き換え、前記第１再生レベル及び前記第２再生レベルに従って、前記コンテンツの再生を許可し、前記第３再生レベルに従って、前記コンテンツの再生を禁止する再生制御ステップとを実行させ、
前記第１ゲート装置は、前記再生制御装置が前記電子特急券を記憶している場合、前記電子特急券の有効日と現在の日付とを比較し、両者が一致する場合、前記再生制御装置へ、前記電子特急券を確認したことを示す特急券確認通知を送信し、
前記再生制御ステップは、前記特急券確認通知を受信すると、コンテンツの再生レベルを前記第２再生レベルに書き換える
ことを特徴とする再生制御プログラム。
【発明の詳細な説明】
【技術分野】
【０００１】
本発明は、限定された場所、空間でのみコンテンツの再生を許可する技術に関する。
【背景技術】
【０００２】
通貨と同等の価値を持つ電子マネーを記憶し、電子マネーによる精算を行う機能を備えたＩＣカ−ドが実用化され、店舗での支払い、列車などの運賃の精算に利用されている。
特許文献１では、電話の使用料、鉄道等の乗車券、コンテンツの利用といった電子利用権及び上述したような電子マネーを利用した多様なサービスの提供を目的とし、利用期限の限定された電子マネー及び電子利用権、利用期限のない電子マネー及び電子利用権が混在するシステムに関する技術が公開されている。
【０００３】
また、携帯電話に電子マネー機能を持たせたサービスの検証実験が行われている。
【特許文献１】特開2001-175748号公報
【発明の開示】
【発明が解決しようとする課題】
【０００４】
これらの技術の発達をふまえて、利用者によるコンテンツの利用の促進とコンテンツ製作者の権利保護の両立を図ることができる様々な技術の提供が要望されている。
このような要望に対応するため、本発明は、ゲートの内外でコンテンツの再生を、許可又は禁止する再生制御装置、再生制御システム、再生制御方法、再生制御プログラム、記録媒体及び集積回路を提供することを目的とする。
【課題を解決するための手段】
【０００５】
上記目的を達成するために本発明は、駅の構内である第１エリアの内外、及び、前記第１エリアに囲まれた特急専用プラットホームである第２エリアの内外で、コンテンツの再生を、許可及び禁止し、可搬型のＩＣメモリカードである再生制御装置であって、特急車両への乗車を示す電子特急券を記憶している記憶手段と、（ａ）外部から第１エリアに入場するときに、第１エリアと外部との間に設置された自動改札機である第１ゲート装置から、外部から第１エリアへの入場を示す第１入場情報を取得し、（ｂ）第１エリアから外部へ退場するときに、前記第１ゲート装置から、第１エリアから外部への退場を示す第１退場情報を取得し、（ｃ）第１エリアから第２エリアへ入場するときに、第１エリアと第２エリアとの間に設置された特急用改札機である第２ゲート装置から、第１エリアから第２エリアへの入場を示す第２入場情報を取得する取得手段と、前記第１入場情報を取得する場合、コンテンツの再生レベルをコンテンツのうちプレビューの部分のみ再生できることを示す第１再生レベルに書き換え、前記第２入場情報を取得する場合、コンテンツの再生レベルをコンテンツ全てを再生できることを示す第２再生レベルに書き換え、前記第１退場情報を取得する場合、コンテンツの再生レベルをコンテンツの再生ができないことを示す第３再生レベルに書き換え、前記第１再生レベル及び前記第２再生レベルに従って、前記コンテンツの再生を許可し、前記第３再生レベルに従って、前記コンテンツの再生を禁止する再生制御手段とを備え、前記第１ゲート装置は、前記再生制御装置が前記電子特急券を記憶している場合、前記電子特急券の有効日と現在の日付とを比較し、両者が一致する場合、前記再生制御装置へ、前記電子特急券を確認したことを示す特急券確認通知を送信し、前記再生制御手段は、前記特急券確認通知を受信すると、コンテンツの再生レベルを前記第２再生レベルに書き換えることを特徴とする。
【０００６】
ここで、上記の「前記コンテンツの再生を許可する」とは、前記コンテンツの再生を行う再生機構に対し、前記コンテンツの再生の許可を示す情報を出力することを含む。また、上記の「前記コンテンツの再生を禁止する」とは、前記再生機構に対し、前記コンテンツの再生の許可を示す情報の出力を拒否又は中断すること、又は、前記コンテンツの再生の許可を示す情報を消去することを含む。
【発明の効果】
【０００７】
上記の構成によると、前記再生制御手段は、前記第１ゲート装置から第１入場情報を取得した場合に、前記コンテンツの再生を許可し、前記第１ゲート装置から第１退場情報を取得した場合に、前記コンテンツの再生を禁止するため、本発明の再生制御装置は、第１ゲート内においては、利用者に対してコンテンツの利用を促進し、第１ゲート外における、コンテンツの不正な利用を防止することができる。
【０００８】
また、前記再生制御装置を構成する前記取得手段は、前記第１入場情報として前記コンテンツを暗号化して生成された暗号化コンテンツを復号するための鍵情報を取得し、前記再生制御手段は、取得した前記鍵情報を記憶し、記憶している前記鍵情報を出力することで、前記コンテンツの再生を許可することを特徴とする。
この構成によると、前記再生制御手段は、前記鍵情報を出力することで前記コンテンツの再生を許可するため、前記コンテンツの再生を行う再生機構は、前記再生制御手段から前記鍵情報を取得した場合のみ、前記暗号化コンテンツを前記鍵情報を用いて復号して前記コンテンツを生成し、生成した前記コンテンツを再生する。従って、第１ゲート内においては、コンテンツの利用を促進することができる。また、前記鍵情報が出力されるまで、前記コンテンツは、暗号化されているため、前記コンテンツを不正な再生から保護することができる。
【０００９】
本発明の再生制御装置を構成する前記取得手段は、前記第１退場情報として、前記鍵情報の消去命令を取得し、前記再生制御手段は、取得した前記消去命令に従って、記憶している前記鍵情報を消去することで、前記コンテンツの再生を禁止することを特徴とする。
この構成によると、前記再生制御手段は、前記鍵情報を消去することで、前記コンテンツの再生を禁止する。このため、第１ゲート外では、前記コンテンツの再生を行う再生機構は、前記暗号化コンテンツを復号することができないため、第１ゲート外での前記コンテンツの不正な利用を防ぐことができる。
【００１０】
本発明において、前記コンテンツは、第１部分コンテンツと第２部分コンテンツとを含んで構成され、前記再生制御装置を構成する前記再生制御手段は、前記鍵情報を取得する場合、前記コンテンツのうち前記第１部分コンテンツの再生を許可し、前記再生制御装置は、さらに、前記第１ゲート内で提供されるサービスに関するサービス情報を取得する情報取得手段を備え、前記再生制御手段は、さらに、前記サービス情報を取得する場合に、前記第２部分コンテンツの再生を許可することを特徴とする。
【００１１】
また、前記再生制御手段は、前記鍵情報を取得する場合、所定の時間内に限り、前記コンテンツの再生を許可し、前記再生制御装置は、さらに、前記第１ゲート内で提供されるサービスに関するサービス情報を取得する情報取得手段を備え、前記再生制御手段は、さらに、前記サービス情報を取得する場合に、前記コンテンツの再生に係る時間の制限を解除することを特徴とする。
【００１２】
この構成によると、前記再生制御手段は、前記鍵情報を取得する場合と、前記サービス情報を取得する場合とに、前記第１部分コンテンツ及び第２部分コンテンツの再生を許可する。従って、本発明の再生制御装置は、第１ゲート内において提供されるサービスの利用状況に応じて、段階的に、前記コンテンツの利用を促進することができる。また、コンテンツの再生の許可と、前記サービス情報の取得とを関連付けることにより、前記第１ゲート内における、前記サービスの利用促進をも図ることができる。
【００１３】
前記再生制御装置は、さらに、通貨と同様に使用される電子マネーを記憶している電子マネー記憶手段と、前記電子マネーを読み出し、読み出した前記電子マネーにより、前記コンテンツの視聴に係る料金の精算を行う精算手段とを備えることを特徴とする。
この構成によると、前記精算手段は、前記コンテンツの視聴に係る料金を前記電子マネーにより精算する。このため、利用者は、通貨を使用することなく、前記電子マネーにより、前記コンテンツの利用に係る料金を支払うことができる。
【００１４】
また、前記再生制御装置を構成する前記精算手段は、前記コンテンツの再生時間を計測し、前記再生時間に応じた前記料金を精算することを特徴とする。
この構成によると、前記精算手段は、前記コンテンツの再生時間に応じた料金を精算する。よって、利用者は、再生した時間に比例する料金を支払えば良いことになり、第１ゲート内での滞在時間が短い利用者にも、前記コンテンツの視聴を促すことができる。
【００１５】
また、前記再生制御装置を構成する前記精算手段は、再生された前記コンテンツのデータ量を算出し、前記データ量に応じた前記料金を精算することを特徴とする。
この構成によると、前記精算手段は、前記コンテンツのうち再生されたデータ量に比例した料金を精算する。このようにすることで、書籍、新聞、静止画像など、利用者によって視聴時間が異なるコンテンツについて、利用者は、コンテンツのうち視聴した部分に対する料金を支払えば良いことになり、より多くの利用者に前記コンテンツの視聴を促すことができる。
【００１６】
また、前記コンテンツは、デジタル著作物及びデジタル広告から構成され、本発明の前記再生制御装置の前記精算手段は、前記デジタル広告の再生に応じた割引金額を算出し、前記デジタル著作物の視聴に係る金額から前記割引金額を差し引いて前記料金を算出することを特徴とする。
この構成のように、前記デジタル広告の再生に応じて前記デジタル著作物の視聴にかかる料金を、割引することで、利用者によるデジタル広告の視聴を促進することができる。
【００１７】
前記再生制御装置は、さらに、前記コンテンツ上の再生開始位置を示す開始情報を取得する開始情報取得手段を備え、前記再生制御手段は、前記鍵情報と合わせて、前記開始情報を出力することで、前記コンテンツの再生を許可することを特徴とする。また、前記再生制御装置は、さらに、前記開始情報を記憶している開始情報記憶手段と、前記コンテンツ上で再生が中断された位置を示す中断情報を取得し、取得した中断情報を前記開始情報として、前記開始情報記憶手段に書き込む書込手段とを備え、前記取得手段は、前記開始情報記憶手段から前記開始情報を取得する構成であってもよい。
【００１８】
この構成では、前記書込手段は、前記コンテンツの再生が中断された位置を示す中断情報を前記開始情報として取得し、前記再生制御手段は、前記鍵情報と合わせて前記開始情報を出力するため、前記コンテンツを再生する再生機構は、前記コンテンツの再生が中断された位置から前記コンテンツの再生を開始する。従って、利用者は、視聴を中止した位置から、視聴を再開することが可能になり、利便性が向上する。
【００１９】
前記再生制御装置は、さらに、通貨と同様に使用される電子マネーを記憶している電子マネー記憶手段と、前記電子マネーを読み出し、読み出した前記電子マネーにより、前記第１ゲート内において提供されるサービスの利用に係る料金を精算する精算手段とを備えることを特徴とする。また、前記精算手段は、前記料金として、交通機関の運賃を精算するとしてもよいし、前記料金として、前記第１ゲート内で催される各種イベントのチケット代金を精算することを特徴とするとしてもよい。
【００２０】
この構成では、前記精算手段は、前記第１ゲート内において提供されるサービスなどに係る料金を精算するため、利用者は、前記サービスに係る料金を、通貨を授受をすることなく簡易に行うことができる。
また、本発明の再生制御装置は、可搬型のＩＣメモリカードであることを特徴とする。このため、本発明の再生制御装置は、利用者にとって、持ち運びに便利であり、容易に携帯することができる。また、可搬型ＩＣメモリカードを利用する各種の機器、例えば、携帯電話、ＰＤＡなど様々な機器に応用することができる。
【００２４】
前記再生制御装置は、さらに、前記再生制御手段によって、再生が禁止される場合に、前記第１ゲート内において、前記コンテンツの再生が可能である旨を通知する通知手段を備えることを特徴とする。
この構成では、本発明の再生制御装置は、再生が禁止される場合、つまり、第１ゲート外で、利用者に対して、前記第１ゲート内において、前記コンテンツの再生が可能である旨を通知するので、利用者に、前記第１ゲート内でのコンテンツの利用を促すことができる。
【００２５】
前記再生制御装置は、さらに、前記再生制御手段によって、再生が禁止される場合に、前記第１ゲート内において、前記コンテンツの再生が可能である旨を通知する通知手段を備えることを特徴とする。
この構成によると、前記再生制御装置は、前記鍵情報を予め記憶している。このため、前記第１ゲート装置との間の前記鍵情報の授受を減らすことになり、前記鍵情報の漏洩の危険性を低減することができる。
【００２６】
本発明の再生制御装置において、前記取得手段は、前記第１入場情報として前記コンテンツを取得し、前記再生制御手段は、取得した前記コンテンツを記憶し、記憶している前記コンテンツを出力することで、前記コンテンツの再生を許可することを特徴とする。また、前記取得手段は、前記第１退場情報として前記コンテンツの消去命令を取得し、前記再生制御手段は、前記消去命令に従って、記憶している前記コンテンツを消去することで、前記コンテンツの再生を禁止する。
【００２７】
この構成によると、前記取得手段は、前記入場情報として前記コンテンツを取得し、前記再生制御手段は、前記コンテンツを出力することで前記コンテンツの再生を許可する。このため、前記コンテンツを再生する再生機構は、暗号化コンテンツの復号などの処理を行うことなく、前記コンテンツを速やかに再生することができる。また、前記コンテンツを消去することで前記コンテンツの再生を禁止するため、前記再生機構は、前記コンテンツの再生ができない。従って、前記第１ゲートを退場した後、前記コンテンツの不正な再生を確実に防ぐことができる。
【００３０】
本発明は、駅の構内である第１エリアの内外、及び、前記第１エリアに囲まれた特急専用プラットホームである第２エリアの内外で、コンテンツの再生を、許可及び禁止し、可搬型のＩＣメモリカードである再生制御装置と、第１エリアと外部との間に設置された自動改札機である第１ゲート装置と、第１エリアと第２エリアとの間に設置された特急用改札機である第２ゲート装置とから構成される再生制御システムであって、前記再生制御装置は、特急車両への乗車を示す電子特急券を記憶している記憶手段と、（ａ）外部から第１エリアに入場するときに、前記第１ゲート装置から、外部から第１エリアへの入場を示す第１入場情報を取得し、（ｂ）第１エリアから外部へ退場するときに、前記第１ゲート装置から、第１エリアから外部への退場を示す第１退場情報を取得し、（ｃ）第１エリアから第２エリアへ入場するときに、前記第２ゲート装置から、第１エリアから第２エリアへの入場を示す第２入場情報を取得する取得手段と、前記第１入場情報を取得する場合、コンテンツの再生レベルをコンテンツのうちプレビューの部分のみ再生できることを示す第１再生レベルに書き換え、前記第２入場情報を取得する場合、コンテンツの再生レベルをコンテンツ全てを再生できることを示す第２再生レベルに書き換え、前記第１退場情報を取得する場合、コンテンツの再生レベルをコンテンツの再生ができないことを示す第３再生レベルに書き換え、前記第１再生レベル及び前記第２再生レベルに従って、前記コンテンツの再生を許可し、前記第３再生レベルに従って、前記コンテンツの再生を禁止する再生制御手段とを備え、前記第１ゲート装置は、前記再生制御装置が前記電子特急券を記憶している場合、前記電子特急券の有効日と現在の日付とを比較し、両者が一致する場合、前記再生制御装置へ、前記電子特急券を確認したことを示す特急券確認通知を送信し、前記再生制御手段は、前記特急券確認通知を受信すると、コンテンツの再生レベルを前記第２再生レベルに書き換えることを特徴とする。
【００３１】
この構成では、再生制御装置は、前記入場情報を取得する場合には、前記コンテンツの再生を許可するので、このシステムにおいて、第１ゲート内では、コンテンツの利用を促進する。逆に、前記退場情報を取得すると、再生制御装置は、コンテンツの再生を禁止するため、第１ゲート外において、コンテンツの不正な利用を防止することができる。
【発明を実施するための最良の形態】
【００３２】
以下、本発明の実施の形態について図面を用いて詳細に説明する。
１．実施の形態１
本発明に係る実施の形態として、場所限定コンテンツ利用システムについて、以下に説明する。
１．１  場所限定コンテンツ利用システム
場所限定コンテンツ利用システム１は、図１に示すように、携帯電話１００、自動改札機４００、４２０、４３０、５００、５２０、５３０・・・及び電子マネーチャージャー６００から構成される。
【００３３】
コンテンツ配信メーカ２５の所有するコンテンツ管理装置２００は、インターネット２０と接続されている。また、携帯電話１００は、携帯電話網１０及び基地局１５を介してインターネット２０と接続されている。
コンテンツ管理装置２００は、一例として、音声及び映像から成る映画、テレビ番組又はテキストデータから成る書籍、新聞といったコンテンツを記憶している。さらに、コンテンツごとに異なるコンテンツ鍵、コンテンツ鍵を用いて暗号化された暗号化コンテンツ、前記コンテンツ鍵を暗号化した暗号化コンテンツ鍵及び各コンテンツの視聴に係る料金を対応付けて記憶している。また、暗号化コンテンツ鍵の生成に用いた再生鍵を記憶している。
【００３４】
コンテンツ管理装置２００は、操作者の操作により、メモリカード３００に暗号化コンテンツ鍵と暗号化コンテンツとを書き込む。
携帯電話１００の利用者は、販売店３０で暗号化コンテンツ鍵及び暗号化コンテンツを記憶したメモリカード３００を購入する。
携帯電話１００は、メモリカード３００を装着可能であり、メモリカード３００に記憶されているコンテンツを再生する。
【００３５】
メモリカード３００は、電子マネーを記憶しており、利用者は、電子マネーチャージャー６００を用いてメモリカード３００に電子マネーを追加する。
自動改札機４００、４２０、４３０、５００、５２０・・・は、再生鍵を記憶している。
利用者が、駅構内へ入場する際に、メモリカード３００は、携帯電話１００に装着された状態で、近距離無線を利用して、自動改札機４００、４２０、４３０、５００、５２０・・・から再生鍵を受信する。
【００３６】
利用者の操作により、コンテンツの再生を指示されると、携帯電話１００は、メモリカードから再生鍵、暗号化コンテンツ鍵及び暗号化コンテンツを読み出し、読み出した再生鍵を用いて暗号化コンテンツ鍵を復号し、コンテンツ鍵を生成する。生成したコンテンツ鍵を用いて暗号化コンテンツを復号し、コンテンツを生成し、生成したコンテンツを再生する。
【００３７】
利用者が、駅構内から退場する際に、メモリカード３００は、自動改札機４００の指示により再生鍵の消去を行う。
このようにして、利用者は、駅構内へ入場してから退場する間だけコンテンツを視聴することができる。
１．２  コンテンツ管理装置２００
コンテンツ管理装置２００は、図２に示すようにコンテンツ情報記憶部２１１、送受信部２０１、入出力部２０５、制御部２０７、認証部２０３、入力部２１２及び表示部２１３から構成される。
【００３８】
コンテンツ管理装置２００は、具体的にはマイクロプロセッサ、ＲＡＭ、ＲＯＭ及びハードディスクから構成され、ＲＡＭ、ＲＯＭ及びハードディスクにはコンピュータプログラムが記憶されており、前記マイクロプロセッサが前記コンピュータプログラムに従って動作することにより、コンテンツ管理装置２００はその機能を達成する。
（１）コンテンツ情報記憶部２１１
コンテンツ情報記憶部２１１は、ハードディスクから構成され一例として、図３に示すように、コンテンツ情報表２２１、再生鍵２３５、コンテンツファイル２４１、２４６、２５１・・・を記憶している。
【００３９】
コンテンツ情報表２２１は、図４に示すように、複数のコンテンツ情報２２２、２２３、２２４・・・から構成され、各コンテンツ情報は、コンテンツＩＤ、コンテンツ名、ファイル名１、ファイル名２、コンテンツ鍵、暗号化コンテンツ鍵及び料金を含む。コンテンツＩＤは、コンテンツを一意に識別する識別情報である。コンテンツ名は、映画名、テレビ番組名などのコンテンツの名称である。ファイル名１は、コンテンツＩＤの示すコンテンツを含むコンテンツファイルの名称である。ファイル名２は、コンテンツＩＤの示すコンテンツに、コンテンツ鍵を用いて暗号化アルゴリズムＥ１を施して生成された暗号化コンテンツを含むコンテンツファイルの名称である。コンテンツ鍵は、前述した暗号化コンテンツの生成に用いられる暗号鍵であり、コンテンツごとに異なる。暗号化コンテンツ鍵は、再生鍵２３５を用いてコンテンツ鍵に暗号化アルゴリズムＥ２を施して生成されたものである。
【００４０】
ここで、暗号化アルゴリズムＥ１及びＥ２は、一例としてＤＥＳ（Ｄａｔａ  Ｅｎｃｒｙｐｔｉｏｎ  Ｓｔａｎｄａｒｄ）である。
料金は、コンテンツＩＤにより識別されるコンテンツの、１分当たりの視聴料金であり、その単位は「円／分」である。
コンテンツファイル２４１、２４６、２５１・・・には、コンテンツＩＤとコンテンツとを含むものと、コンテンツＩＤと暗号化コンテンツとを含むものが存在する。
【００４１】
コンテンツファイル２４１は、コンテンツＩＤ２４２とコンテンツ２４３とを含み、コンテンツＩＤ２４２は、コンテンツ情報２２２に含まれるコンテンツＩＤ「００１」と同一のものである。
コンテンツファイル２４６は、コンテンツＩＤ２４７と暗号化コンテンツ２４８とを含み、コンテンツＩＤ２４２は、コンテンツ情報２２２に含まれるコンテンツＩＤ「００１」と同一のものである。暗号化コンテンツ２４８は、コンテンツ鍵「ＡＢ０１」を用いて、コンテンツ２４３に暗号化アルゴリズムＥ１を施して生成されたものである。
【００４２】
（２）送受信部２０１及び入出力部２０５
送受信部２０１は、インターネット２０に接続されている外部機器と制御部２０７及び認証部２０３との間で情報の送受信を行う。
ここで、外部機器とは、携帯電話１００及び携帯電話１００に装着されたメモリカード３００である。
【００４３】
入出力部２０５は、メモリカード３００と接続され、メモリカード３００と制御部２０７及び認証部２０３との間で情報の送受信を行う。
（３）認証部２０３
認証部２０３は、コンテンツ管理装置２００に固有の秘密鍵、公開鍵証明書、前記公開鍵証明書の発行元である認証局の公開鍵及びＣＲＬ（Ｃｅｒｔｉｆｉｃａｔｅ＿Ｒｅｖｏｃａｔｉｏｎ＿Ｌｉｓｔ）を記憶している。
【００４４】
公開鍵証明書は、前記秘密鍵と対になる公開鍵の正当性を示すものであり、公開鍵と証明書ＩＤとを含む。ＣＲＬは、無効化された公開鍵証明書の証明書ＩＤを含む。
認証部２０３は、入出力部２０５にメモリカード３００が装着されたときに、メモリカード３００との間で機器認証を行う。機器認証が成功すると、機器認証により生成したセッション鍵を制御部２０７へ出力する。
【００４５】
また、認証部２０３は、制御部２０７がインターネット２０に接続された外部機器との間で情報の送受信を行う前に、送受信部２０１及びインターネット２０を介して外部機器との間で機器認証を行う。機器認証が成功すると、機器認証により生成したセッション鍵を制御部２０７へ出力する。
機器認証については、後述する。
【００４６】
（４）制御部２０７
制御部２０７は、認証部２０３とメモリカード３００間の機器認証が成功すると、認証部２０３から機器認証により生成されたセッション鍵を受け取る。メモリカード３００との間の情報の送受信において、受け取ったセッション鍵を用いて情報を暗号化し送受信を行うが、説明の簡略化のため以下の説明においては、セッション鍵を用いた暗号化及び復号の処理については言及しない。
【００４７】
制御部２０７は、入力部２１２を介して操作者による指示及び情報の入力を受け付け、受け付けた指示に基づいて各種の処理を行う。
入力部２１２を介してコンテンツＩＤ「００１」とコンテンツの書き込み指示を受け付けると、コンテンツ情報表２２１から受け付けたコンテンツＩＤ「００１」を含むコンテンツ情報２２２を選択し、選択したコンテンツ情報２２２からコンテンツＩＤ「００１」と暗号化コンテンツ鍵「ａｂ０Ａ」と料金「５．０」とを抽出し、抽出したコンテンツＩＤ「００１」と暗号化コンテンツ鍵「ａｂ０Ａ」と料金「５．０」とを再生情報として、メモリカード３００のセキュア領域３２１に書き込む。次に、選択したコンテンツ情報２２２に含まれるファイル名２を抽出し、抽出したファイル名２のコンテンツファイル２４６から暗号化コンテンツ２４８を読み出し、読み出した暗号化コンテンツ２４８をメモリカード３００の一般領域３３１に書き込む。
【００４８】
（５）入力部２１２及び表示部２１３
入力部２１２は、コンテンツ管理装置２００の操作者による情報又は指示の入力を受け付け、受け付けた情報又は指示を制御部２０７へ出力する。  
表示部２１３は、制御部２０７の制御のもとに、各種情報を表示する。
１．３  コンテンツ配信メーカ２５及び販売店３０
コンテンツ配信メーカは、コンテンツ管理装置２００を使用して、暗号化コンテンツ及び再生情報を記憶したメモリカード３００を量産し、量産したメモリカード３００を販売店３０を介して販売する。
１．４  メモリカード３００
メモリカード３００は、図５に示すように、情報記憶部３１０、入出力部３０１、制御部３０７、精算部３０６及び認証部３０３から構成される。
【００４９】
メモリカード３００は、具体的には、マイクロプロセッサ、ＲＡＭ、ＲＯＭ及びＥＥＰＲＯＭなどを含むコンピュータシステムである。ＲＡＭ及びＲＯＭには、コンピュータプログラムが格納されており、前記マイクロプロセッサが前記コンピュータプログラムに従って動作することにより、メモリカード３００は、その機能の一部を達成する。
なお、認証部３０３は、外部機器との間で機器認証を行い、共通のセッション鍵を生成し、制御部３０７は、機器認証に成功した外部機器と情報の送受信を行う際に、生成されたセッション鍵を用いて暗号化された情報を送受信するが、説明の簡略化のため、以下の説明において、セッション鍵を用いた暗号化及び復号の処理については、言及しない。
【００５０】
（１）情報記憶部３１０
情報記憶部３１０は、具体的には図示されていないがＥＥＰＰＯＭ、フラッシュメモリなどの不揮発性で書き込み可能な記憶素子から構成される。
情報記憶部３１０は、セキュア領域３２１と一般領域３３１とを含み、認証部３０３による機器認証に失敗した外部機器は、セキュア領域３２１に記憶されている情報を利用することができない。図５に示すように、セキュア領域３２１は、電子マネー残高３２２、再生鍵３２３、入場フラグ３３２、乗車駅３３３、視聴料金３３９及び再生情報３３６を記憶しており、一般領域３３１は、暗号化コンテンツ３３５を記憶している。
【００５１】
電子マネー残高３２２は、メモリカード３００が記憶している電子マネーの金額である。
再生鍵３２３は、再生情報３３６に含まれる暗号化コンテンツ鍵「ａｂ０Ａ」を復号するための鍵値であり、コンテンツ管理装置２００の記憶している再生鍵２３５と同一のものである。
【００５２】
入場フラグ３３２は、自動改札機４００、４２０、４３０・・・のいずれかとメモリカード３００との間で入場時の処理（後述する）済みであるか否かを示しており、入場時の処理が行われていれば「１」、入場時の処理を行っていなければ「０」である。
乗車駅３３３は、メモリカード３００が携帯電話１００を介して入場時の処理（後述する）を行った駅の駅名である。
【００５３】
視聴料金３３９は、携帯電話１００によるコンテンツの再生により発生した料金であり、初期値は「０」に設定されている。
再生情報３３６は、コンテンツＩＤ「００１」と暗号化コンテンツ鍵「ａｂ０Ａ」と料金「５．０」とを含む。コンテンツＩＤ「００１」は、暗号化コンテンツ３３５を復号して生成されるコンテンツと対応する識別情報であり、暗号化コンテンツ鍵「ａｂ０Ａ」は、暗号化コンテンツ３３５を復号するためのコンテンツ鍵「ＡＢ０１」を再生鍵を用いて暗号化したものである。料金「５．０」は、コンテンツＩＤ「００１」により示されるコンテンツの視聴に係る料金を示しており、その単位は「円／分」である。これらは、コンテンツ管理装置２００の記憶しているコンテンツ情報２２２に含まれるコンテンツＩＤ「００１」、暗号化コンテンツ鍵「ａｂ０Ａ」及び料金「５．０」と同一のものである。
【００５４】
暗号化コンテンツ３３５は、映画、テレビ番組等のコンテンツを暗号化して生成されたものであり、コンテンツ管理装置２００の記憶している暗号化コンテンツ２４８と同一である。
なお、メモリカード３００は、コンテンツ配信メーカ２５からの出荷時に暗号化コンテンツ３３５及び再生情報３３６を記憶しているとしてもよいし、出荷後にインターネット２０及び携帯電話１００を介して、コンテンツ管理装置２００から暗号化コンテンツ３３５及び再生情報３３６を取得するとしてもよい。
【００５５】
（２）入出力部３０１
入出力部３０１は、制御部３０７及び認証部３０３と外部機器との間で、各種情報の送受信を行う。ここで、外部機器とは、携帯電話１００、コンテンツ管理装置２００及び電子マネーチャージャー６００である。
（３）認証部３０３
認証部３０３は、メモリカード３００に固有の秘密鍵、前記秘密鍵と対になる公開鍵を含む公開鍵証明書、前記公開鍵証明書の発行元である認証局の公開鍵及び無効化された公開鍵証明書の証明書ＩＤを含むＣＲＬを記憶している。
【００５６】
メモリカード３００が外部機器に装着されると、認証部３０３は、外部機器との間で機器認証を行いセッション鍵を生成する。機器認証については、後述する。
（４）精算部３０６
精算部３０６は、制御部３０７から投入金額を受け取り、精算を指示される。また、制御部３０７から、運賃を受け取り、精算を指示される。
【００５７】
精算部３０６は、制御部３０７から投入金額を受け取り、精算を指示されると、情報記憶部３１０のセキュア領域３２１に記憶されている電子マネー残高３２２を読み出し、読み出した電子マネー残高３２２に受け取った投入金額を加算し、加算後の電子マネー残高をセキュア領域３２１に上書きする。次に、制御部３０７へ電子マネーの精算が正常に終了したことを示す終了信号を出力する。
【００５８】
制御部３０７から運賃を受け取り、精算を指示されると、精算部３０６は、情報記憶部３１０から視聴料金３３９を読み出し、受け取った運賃と読み出した視聴料金３３９との和を算出する。情報記憶部３１０のセキュア領域３２１から電子マネー残高３２２を読み出し、読み出した電子マネー残高３２２と算出した和とを比較する。電子マネー残高３２２が和以上であれば、精算部３０６は、電子マネー残高３２２から和を減算し、減算した結果を電子マネー残高としてセキュア領域３２１に上書きする。次に、制御部３０７へ電子マネーの精算が正常に終了したことを示す終了信号を出力する。
【００５９】
読み出した電子マネー残高３２２が算出した和未満であると、電子マネーが不足であること示すエラー信号を生成し、生成したエラー信号を制御部３０７に出力する。
（５）制御部３０７
電子マネーチャージャー６００の認証部６０３と認証部３０３の間の機器認証が成功すると、制御部３０７は、入出力部３０１を介して電子マネーチャージャー６００から投入金額を受け取る。受け取った投入金額を精算部３０６へ出力し、精算を指示する。次に、精算部３０６から正常に電子マネーの精算が終了したことを示す終了信号を受け取る。
【００６０】
また、制御部３０７は、利用者が、メモリカード３００を装着した携帯電話１００を所持して、駅構内へ入場する際に、携帯電話１００を介して、自動改札機４００から通信開始信号を受信する。このとき、制御部３０７は、自動改札機４００との間で、以下に説明する（i）入場時の処理を行う。
利用者が、メモリカード３００を装着した携帯電話１００を所持して、駅構内から退場する際に、携帯電話１００を介して自動改札機４００から通信開始信号を受信する。このとき、制御部３０７は、以下に説明する（iii）退場時の処理を行う。
【００６１】
また、メモリカード３００が携帯電話１００に装着された状態で、入出力部３０１を介して、携帯電話１００からコンテンツ要求信号と現在時刻とを受信し、（ii）コンテンツ再生の処理を行う。
以下に（i）入場時の処理、（ii）コンテンツ再生の処理、（iii）退場時の処理について説明する。
【００６２】
また、（i）入場時の処理及び（iii）退場時の処理については、自動改札機４００とメモリカード３００との間の処理についてのみ説明するが、自動改札機４２０、４３０、５００・・・についても同様である。
（i）入場時の処理
制御部３０７は、携帯電話１００を介して、自動改札機４００から、通信開始信号を受信すると、通信可能であることを示す応答信号を生成し、携帯電話１００を介して、自動改札機４００へ生成した応答信号を送信する。次に、認証部３０３へ、自動改札機４００との間の機器認証を指示する。
【００６３】
認証部３０３による機器認証が失敗であれば、以降の自動改札機４００との通信を中止する。
認証部３０３による機器認証が成功すると、次に、自動改札機４００から自動改札機４００の設置されている駅の駅名を乗車駅として受け取る。制御部３０７は、受け取った乗車駅を情報記憶部３１０のセキュア領域３２１に書き込み、入場フラグ３３２を「１」に設定する。ここでは、乗車駅を受け取り、乗車フラグを制御部３０７が書き換えるとしているが、乗車駅、乗車フラグ「１」、さらに、乗車日時を受信して、情報記憶部３１０に書き込み又は上書きするとしてもよい。
【００６４】
次に、制御部３０７は、再生鍵要求信号を生成し、入出力部３０１を介して、生成した再生鍵要求信号を自動改札機４００へ送信する。
入出力部３０１を介して、自動改札機４００から再生鍵を受信し、受信した再生鍵を、セキュア領域３２１へ書き込む。
（ii）コンテンツの再生処理
ここで、携帯電話１００の認証部１０３と認証部３０３との機器認証は成功しているものとする。
【００６５】
制御部３０７は、入出力部３０１を介して、携帯電話１００から、コンテンツ要求信号と携帯電話１００がコンテンツ要求を送信した時刻である現在時刻とを受信すると、受信した現在時刻を再生開始時刻として、一時的に記憶する。
ただし、ここで、情報記憶部３１０のセキュア領域３２１内に再生鍵３２３が記憶されていない場合は、入場時の処理がされていないためコンテンツの再生ができないことを示すエラー信号を、入出力部３０１を介して携帯電話１００へ出力する。
【００６６】
次に、情報記憶部３１０から再生鍵３２３と再生情報３３６に含まれる暗号化コンテンツ鍵「ａｂ０Ａ」と暗号化コンテンツ３３５とを読み出し、読み出した再生鍵３２３と暗号化コンテンツ鍵「ａｂ０Ａ」と暗号化コンテンツ３３５とを入出力部３０１を介して携帯電話１００へ出力する。具体的には、暗号化コンテンツ３３５は、複数のブロックから構成されており、制御部３０７は、前記ブロックを先頭から順次読み出し、読み出したブロックを携帯電話１００へ順次出力する。
【００６７】
次に、制御部３０７は、入出力部３０１を介して、携帯電話１００から再生終了信号と携帯電話１００が再生終了信号を送信した時刻である現在時刻とを受信する。再生終了信号と現在時刻とを受信すると、暗号化コンテンツ３３５の出力を停止する。
次に、受信した現在時刻を再生終了時刻として、記憶している再生開始時刻と再生終了時刻とを基に、
式  ：  再生時間＝再生終了時刻−再生開始時刻
により、再生時間を算出する。
【００６８】
次に、情報記憶部３１０に記憶されている再生情報３３６に含まれる料金「５．０」を読み出し、読み出し料金「５．０」と算出した再生時間の積を算出する。次に、視聴料金３３９を読み出し、算出した積と読み出した視聴料金３３９との和を算出し、算出した和を視聴料金３３９に上書きする。
（iii）退場時の処理
制御部３０７は、携帯電話１００を介して、自動改札機４００から、通信開始信号を受信すると、通信可能であることを示す応答信号を生成し、携帯電話１００を介して自動改札機４００へ生成した応答信号を送信する。
【００６９】
ただし、通信開始信号を受信したときに、携帯電話１００へ暗号化コンテンツ３３５を出力中であれば、制御部３０７は、暗号化コンテンツ３３５の出力を強制的に中断し、携帯電話１００へ現在時刻を要求する。携帯電話１００から現在時刻を取得し、取得した現在時刻を終了時刻として上記の（ii）コンテンツの再生処理において、説明した手順で視聴料金の算出及び上書きを行った後、以下の処理を行う。
【００７０】
次に、認証部３０３へ、自動改札機４００との間の機器認証を指示する。認証部３０３による機器認証が失敗であれば、以降の自動改札機４００との通信を中止する。
認証部３０３による機器認証が成功すると、次に、携帯電話１００及び入出力部３０１を介して自動改札機４００から精算開始信号を受信する。精算開始信号を受信すると、制御部３０７は、情報記憶部３１０のセキュア領域３２１から入場フラグ３３２及び乗車駅３３３を読み出し、入出力部３０１及び携帯電話１００を介して、読み出した入場フラグ３３２及び乗車駅３３３を自動改札機４００へ送信する。ここで、情報記憶部３１０に乗車駅３３３が存在しない場合、乗車駅３３３として「０００」を送信する。
【００７１】
次に、携帯電話１００と入出力部３０１とを介して自動改札機４００から運賃を受信し、受信した運賃を精算部３０６へ出力し、精算を指示する。
精算部３０６から、電子マネーの精算が正常に終了したことを示す終了信号を受け取ると精算結果「１」を生成する。精算部３０６から、電子マネーの不足を示すエラー信号を受け取ると、精算結果「０」を生成する。
【００７２】
次に、入出力部３０１及び携帯電話１００を介して生成した精算結果を自動改札機４００へ送信する。
生成した精算結果が「０」であれば、以降の処理を中止する。
生成した精算結果が「１」であれば、次に、携帯電話１００及び入出力部３０１を介して、自動改札機４００から鍵消去指示を受信する。鍵消去指示を受信すると、制御部３０７は、情報記憶部３１０のセキュア領域３２１に記憶されている再生鍵３２３を消去する。次に、視聴料金３３９を「０」に初期化する。
【００７３】
次に、入出力部３０１及び携帯電話１００を介して、自動改札機４００から精算完了信号を受信する。精算完了信号を受信すると、乗車駅３３３を削除し、入場フラグ３３２を「０」に設定する。
ここでは、制御部３０７は、精算完了通知を受け取ると、乗車駅を削除し、入場フラグを変更しているが、自動改札機から、乗車駅の削除指示、入場フラグ「０」を受け取り、乗車駅の削除及び入場フラグの上書きを行ってもよい。
１．５  電子マネーチャージャー６００
電子マネーチャージャー６００は、コンビニエンスストア、駅などに設置されており、利用者の現金を電子マネーとしてメモリカード３００へ記憶させる装置である。
【００７４】
電子マネーチャージャー６００は、図６に示すように、記憶部６１０、入出力部６０１、現金受付部６１６、現金処理部６１５、現金保管庫６１７、制御部６０７、認証部６０３、入力部６１２及び表示部６１３から構成される。
電子マネーチャージャー６００は、具体的にはマイクロプロセッサ、ＲＡＭ、ＲＯＭなどから構成され、ＲＡＭ、ＲＯＭ及び記憶部６１０にはコンピュータプログラムが記憶されており、前記マイクロプロセッサが前記コンピュータプログラムに従って動作することにより、電子マネーチャージャー６００は、その機能を達成する。
【００７５】
（１）記憶部６１０
記憶部６１０は、ＲＡＭ、ＲＯＭ、ハードディスクなどから構成され、コンピュータプログラム及び各種の画像データなどを記憶している。
（２）入出力部６０１
入出力部６０１は、メモリカード３００と接続され、メモリカード３００と制御部６０７及び認証部６０３との間で情報の送受信を行う。
【００７６】
（３）入力部６１２及び表示部６１３
入力部６１２は、スタートボタン、確認ボタン及び追加ボタン等を備え、利用者によるこれらのボタンの押下を検出すると、検出したボタンに対応した操作指示情報を制御部６０７へ出力する。
表示部６１３は、制御部６０７の制御により各種の情報を表示する。図７に示す待ち受け画面６２１、投入画面６２２、確認画面６２３及び終了画面６２４は、表示部６１３の表示する画面の一例である。
【００７７】
（４）現金受付部６１６、現金処理部６１５及び現金保管庫６１７
現金保管庫６１７は、現金を保管する。
現金受付部６１６は、利用者からの現金の投入を受け付け、受け付けた現金を現金保管庫６１７に格納する。
現金処理部６１５は、利用者により投入された現金を数え、数えた現金の合計金額を投入金額として制御部６０７へ出力する。
【００７８】
（５）認証部６０３
認証部６０３は、電子マネーチャージャー６００に固有の秘密鍵、前記秘密鍵と対になる公開鍵を含む公開鍵証明書、前記公開鍵証明書の発行元である認証局の公開鍵及び無効化された公開鍵証明書の証明書ＩＤを含むＣＲＬを記憶している。
認証部６０３は、入出力部６０１にメモリカード３００が接続されると、メモリカード３００と機器認証を行いセッション鍵を生成する。
【００７９】
（６）制御部６０７
認証部６０３とメモリカード３００の認証部３０３との機器認証が失敗すると、制御部６０７は、メモリカード３００との情報の送受信を行わない。
機器認証が成功すると、制御部６０７は、入力部６１２から各種ボタンの押下を示す操作指示情報を受け取り、受け取った操作指示情報に従って、以下に説明する電子マネーの入金処理を行う。また、以下の電子マネーの入金処理において、制御部６０７は、認証部６０３とメモリカード３００との機器認証により生成されたセッション鍵を用いて秘密通信を行うが、説明の簡略化のため、セッション鍵を用いた暗号化及び復号の処理については、言及しない。
（電子マネーの入金処理）
認証部６０３による機器認証が成功し、入力部６１２からスタートボタンの押下を示す操作指示情報を受け取ると、制御部６０７は、投入画面を生成し、生成した投入画面を表示部６１３に出力し、投入画面の表示を指示する。図７に示す投入画面６２２は、ここで表示される画面である。
【００８０】
現金処理部６１５から、投入金額を受け取ると、受け取った投入金額を用いて確認画面を生成し、生成した確認画面を表示する。図７に示す確認画面６２３はここで表示される画面の一例である。
次に、入力部６１２を介して、追加ボタンの押下を示す操作指示情報又は確認ボタンの押下を示す操作指示情報を受け取る。
【００８１】
追加ボタンの押下を示す操作指示情報を受け取ると、確認ボタンの押下を示す操作指示情報を受け取るまで、現金処理部６１５からの投入金額の受け取り、確認画面の生成、確認画面の表示を繰り返す。
確認ボタンの押下を示す操作指示情報を受け取ると、制御部６０７は、入出力部６０１を介して、現金処理部６１５から受け取った投入金額を、メモリカード３００へ送信する。
【００８２】
次に、制御部６０７は、終了画面を生成し、生成した終了画面を表示部６１３へ出力し、終了画面の表示を指示する。図７に示す終了画面６２４は、ここで表示される画面の一例である。
終了画面６２４の表示後、一定時間経過すると、待ち受け画面を生成し、表示部６１３へ待ち受け画面を出力し、待ち受け画面の表示を指示する。図７に示す待ち受け画面６２１は、ここで表示される画面の一例である。
１．６  携帯電話１００
携帯電話１００は、図８に示すように、電話通信部１１５、電話通信制御部１１６、マイク１１７、スピーカ１１８、短距離通信部１０１、短距離通信制御部１０２、入出力部１０５、制御部１０７、アンテナ１２１、アンテナ１２２、入力部１１２、表示部１１３、デコード部１０９及び認証部１０３から構成される。
【００８３】
携帯電話１００は、具体的には、マイクロプロセッサ、信号処理プロセッサ、ＲＯＭ、ＲＡＭなどを含んで構成されるコンピュータシステムである。マイクロプロセッサ及び信号処理プロセッサが、携帯電話１００の内蔵するコンピュータプログラムに従って動作することにより、携帯電話１００は、その機能の一部を達成する。
（１）アンテナ１２１、電話通信部１１５及び電話通信制御部１１６
アンテナ１２１、電話通信部１１５及び電話通信制御部１１６は、基地局１５及び携帯電話網１０を介して、接続された相手の装置との間で、音声又は情報の送受信を行う。
【００８４】
電話通信部１１５は、受信部と送信部とから構成されている。受信部は、高周波増幅器、受信ミキサ、ＩＦ増幅器、復調器などから構成され、アンテナ１２１により受信した信号を増幅し、復調する。送信部は、送信電力増幅器、送信ミキサ、変調器などから構成され、ベースバンド信号により高周波信号を変調し、無線周波数に変換し、増幅し、アンテナ１２１により出力する。電話通信制御部１１６は、ベースバンド部を含み、電話通信部１１５との間で入出力する各種の信号の処理を行う。
【００８５】
（２）短距離通信制御部１０２、短距離通信部１０１、アンテナ１２２
アンテナ１２２、短距離通信部１０１及び短距離通信制御部１０２は、自動改札機４００、４２０、４３０・・・との間で、２．４ＧＨｚの周波数帯域を用いて無線により情報の送受信を行う。
短距離通信部１０１は、信号をアンテナ１２２を介して送信し受信する送受信部と、信号を変調し復調する変復調部とを含み、短距離通信制御部１０２は、短距離通信部１０１との間で入出力する各種の信号の処理をする。
【００８６】
（３）入出力部１０５
入出力部１０５は、メモリカード３００と接続され、メモリカード３００と制御部１０７及び認証部１０３との間で、情報の送受信を行う。
（４）入力部１１２及び表示部１１３
入力部１１２は、テンキー、決定キー、選択キーなど各種のキーを含み、これらのキーが利用者により操作されることにより、利用者からの指示及び情報を受け取る。
【００８７】
表示部１１３は、制御部１０７の制御により各種の情報を表示する。
（５）認証部１０３
認証部１０３は、携帯電話１００に固有の秘密鍵、前記秘密鍵と対になる公開鍵を証明する公開鍵証明書、前記公開鍵証明書の発行元である認証局の公開鍵及び無効化された公開鍵証明書の証明書ＩＤを含むＣＲＬを記憶している。
【００８８】
認証部１０３は、メモリカード３００が携帯電話１００に装着されると、メモリカード３００の認証部３０３との間で機器認証を行い、共通のセッション鍵を生成する。
（６）制御部１０７
制御部１０７は、時刻をカウントする内部時計を備えている。
認証部１０３による機器認証が失敗であると、メモリカード３００との間で情報の送受信を行わない。機器認証が成功であれば、認証部１０３による機器認証で生成されたセッション鍵を用いて、メモリカード３００との間で秘密通信を行う。なお、セッション鍵を用いた暗号化及び復号の処理については、説明を省略する。
【００８９】
また、制御部１０７は、入力部１１２から利用者の操作に対応した操作指示情報を受け取る。認証部１０３による機器認証が成功した後に、入力部１１２から コンテンツの再生を示す操作指示情報を受け取ると、制御部１０７は、以下に説明するコンテンツ再生処理を行う。
（コンテンツ再生処理）
携帯電話１００にメモリカード３００を装着した状態で、入力部１１２からコンテンツの再生を示す操作指示情報を受け取ると、制御部１０７は、内部時計から現在時刻を取得し、メモリカード３００へ、コンテンツ要求信号と取得した現在時刻とを送信する。
【００９０】
次に、入出力部１０５を介して、メモリカード３００から再生鍵と暗号化コンテンツ鍵と暗号化コンテンツとを受信する。若しくは、入場時の処理がされていないためコンテンツの再生ができないことを示すエラー信号を受信する。エラー信号を受信した場合、コンテンツの再生ができないことを利用者に通知する画面を生成して表示部１１３へ表示し、以下の処理は行わない。
【００９１】
再生鍵と暗号化コンテンツ鍵と暗号化コンテンツとを受信した場合、再生鍵を用いて暗号化コンテンツ鍵に復号アルゴリズムＤ２を施してコンテンツ鍵を生成する。生成したコンテンツ鍵と受信した暗号化コンテンツとをデコード部１０９に出力し、コンテンツの再生を指示する。具体的には、メモリカード３００から、暗号化コンテンツを構成するブロックを先頭から順次受信し、受信した暗号化コンテンツをデコード部１０９へ出力することを繰り返す。ここで、Ｄ２は暗号化アルゴリズムＥ２により生成された暗号文を復号するアルゴリズムである。
【００９２】
入力部１１２から再生停止を示す操作指示情報を受け取った場合又は暗号化コンテンツを構成するブロック全てを出力し終わった場合、制御部１０７は、内部時計から現在時刻を取得し、取得した現在時刻と再生終了信号とを入出力部１０５を介して、メモリカード３００へ送信する。
また、メモリカード３００からの暗号化コンテンツを構成するブロックの出力が強制的に中断され、メモリカード３００から現在時刻を要求された場合は、内部時計から現在時刻を取得し、取得した現在時刻を入出力部１０５を介して、メモリカード３００へ送信する。
（入場時の処理及び退場時の処理）
メモリカード３００と自動改札機４００との入場時の処理及び退場時の処理の際に、制御部１０７は、アンテナ１２２、短距離通信部１０１及び短距離通信制御部１０２を介して自動改札機４００から受信した情報を入出力部１０５を介してメモリカード３００へ出力する。
【００９３】
また、入出力部１０５を介して、メモリカード３００から受信した情報を、アンテナ１２２、短距離通信部１０１及び短距離通信制御部１０２を介して自動改札機４００へ送信する。  
（７）デコード部１０９
デコード部１０９は、制御部１０７からコンテンツ鍵と暗号化コンテンツとを受け取り、受け取ったコンテンツ鍵を用いて暗号化コンテンツに復号アルゴリズムＤ１を施しコンテンツを生成する。ここで、Ｄ１は、暗号化アルゴリズムＥ１により生成された暗号文を復号するアルゴリズムである。
【００９４】
次に、生成したコンテンツを伸長し、画面及び音声を生成し、表示部１１３及びスピーカ１１８を介して、生成した画面及び音声を出力する。
１．７  自動改札機４００、４２０、４３０、５００、５２０、５３０・・・
自動改札機４００、４２０、４３０、５００、５２０、５３０・・・は、鉄道の駅改札口に設置されており、利用者の入場及び退場を制御する。
【００９５】
自動改札機４００は、図９に示すように、短距離通信部４０１、短距離通信制御部４０２、アンテナ４２４、表示部４１３、スピーカ４１６、情報記憶部４１０、運賃検索部４２１、制御部４０７、開閉制御部４２２、ゲート扉４２３、感知センサ４１５及び認証部４０３から構成される。
自動改札機４００は、コンピュータシステムであって、具体的には、マイクロプロセッサ、ＲＯＭ、ＲＡＭなどを含んで構成されている。前記ＲＡＭには、コンピュータプログラムが記憶されている。前記マイクロプロセッサが、前記コンピュータプログラムに従って動作することにより、自動改札機４００は、その機能を達成する。
【００９６】
なお、自動改札機４２０、４３０、５００・・・は、自動改札機４００と同様の装置であるので、説明を省略する。
（１）情報記憶部４１０
情報記憶部４１０は、一例として、図１０に示すように、運賃表４４１と再生鍵４３１とを記憶している。
【００９７】
再生鍵４３１は、メモリカード３００に記憶されている暗号化コンテンツ鍵「ａｂ０Ａ」を復号するための秘密鍵であり、コンテンツ管理装置２００の記憶している再生鍵２３５と同一のものである。
運賃表４４１は、列車３５の乗車運賃を示しており、図１１に示すように複数の運賃情報４４２、４４３、４４４、４４５・・・から構成される。各運賃情報は、乗車駅と複数の運賃を含んでいる。乗車駅は、利用者が列車３５に乗った駅の名称である。各運賃は、乗車駅と降車駅の組み合わせにより決定される。運賃情報４４２に含まれる運賃４５２は乗車駅４５１「西梅田」、降車駅「肥後橋」の場合の乗車運賃が「１８０」円であることを示している。
【００９８】
（２）短距離通信制御部４０２、短距離通信部４０１、アンテナ４２４
短距離通信制御部４０２、短距離通信部４０１、アンテナ４２４は、携帯電話１００との間で、２．４ＧＨｚの周波数帯域を用いて短距離無線により情報の送受信を行う。
短距離通信部４０１は、信号をアンテナ４２４を介して送信し受信する送受信部と、信号を変調し復調する変復調部とを含み、短距離通信制御部４０２は、制御部４０７と短距離通信部４０１との間で入出力する各種の信号の処理をする。
【００９９】
アンテナ４２４は、具体的には、２箇所に設置されており、一方は、駅構内側に、他方は駅の外側に向けて設置されている。
（３）運賃検索部４２１
運賃検索部４２１は、自動改札機４００の設置されている駅の駅名を記憶している。
運賃検索部４２１は、制御部４０７から、乗車駅を受け取る。乗車駅を受け取ると、情報記憶部４１０から運賃表４４１を読み出す。自身の記憶している駅名を降車駅として、読み出した運賃表４４１内で、乗車駅と降車駅の組み合わせに対応する運賃を抽出する。抽出した運賃を制御部４０７へ出力する。
【０１００】
（４）認証部４０３
認証部４０３は、自動改札機４００に固有の秘密鍵、前記秘密鍵と対になる公開鍵を証明する公開鍵証明書、前記公開鍵証明書の発行元である認証局の公開鍵及び無効化された公開鍵証明書の証明書を示すＣＲＬを記憶している。
認証部４０３は、制御部４０７の指示により外部機器との間で機器認証を行い、外部機器とセッション鍵を共有する。  
【０１０１】
（５）制御部４０７
制御部４０７は、自動改札機４００の設置されている駅の駅名を記憶している。
制御部４０７は、短距離通信制御部４０２、短距離通信部４０１、アンテナ４２４を介して、定期的に通信開始信号を出力している。
制御部４０７は、短距離通信制御部４０２、短距離通信部４０１、アンテナ４２４及び携帯電話１００を介して、メモリカード３００を検出する。利用者が外から駅構内へ向かって通過する場合、つまり、駅外側に向けて設置されているアンテナ４２４を介してメモリカード３００から応答信号を受信する場合、（i）入場時の処理を行う。利用者がホームから外へ向かって通過する場合、つまり、駅構内側のアンテナ４２４を介してメモリカード３００から応答信号を受信する場合、（ii）退場時の処理を行う。
【０１０２】
以下に（i）入場時の処理及び（ii）退場時の処理について、詳細に説明する。
（i）入場時の処理
制御部４０７は、駅外側に向けて設置されているアンテナ４２４を介してメモリカード３００から通信可能であることを示す応答信号を受信すると、認証部４０３にメモリカード３００との機器認証を指示する。
【０１０３】
認証部４０３による機器認証が失敗すると、制御部４０７は、開閉制御部４２２へ、ゲートの閉鎖を指示し、表示部４１３及びスピーカ４１６を介して、エラー表示（例えば赤色ランプの点灯など）及び警告音を出力し、以降の処理を中止する。
認証部４０３による機器認証が成功であれば、制御部４０７は、以下に説明するメモリカード３００との情報の送受信において、認証部４０３による機器認証で生成されたセッション鍵を用いて情報を暗号化し送受信するが、簡略化のためセッション鍵を用いた暗号化及び復号の処理については、言及しない。
【０１０４】
制御部４０７は、自身の記憶している駅名を読み出し、読み出した駅名を乗車駅として、短距離通信制御部４０２、短距離通信部４０１、アンテナ４２４及び携帯電話１００を介して、メモリカード３００へ送信する。
次に、携帯電話１００、アンテナ４２４、短距離通信部４０１及び短距離通信制御部４０２を介して、メモリカード３００から、再生鍵要求信号を受信する。再生鍵要求信号を受信すると、制御部４０７は、情報記憶部４１０から再生鍵４３１を読み出し、読み出した再生鍵４３１を、短距離通信制御部４０２、短距離通信部４０１、アンテナ４２４及び携帯電話１００を介してメモリカード３００へ送信する。
【０１０５】
ここでは、自動改札機４００は、メモリカード３００へ、乗車駅と再生鍵を送信しているが、そのほかにも、乗車日時、正常に入場したことを示す乗車フラグ「１」を送信してもよい。
（ii）退場時の処理
駅構内に向けて設置されているアンテナ４２４を介してメモリカード３００から通信可能であることを示す応答信号を受信すると、制御部４０７は、認証部４０３へメモリカード３００との機器認証を指示する。
【０１０６】
認証部４０３による機器認証が失敗すると、制御部４０７は、開閉制御部４２２へゲートの閉鎖を指示し、表示部４１３及びスピーカ４１６を介して、エラー表示及び警告音を出力し、移行の処理を中止する。
認証部４０３による機器認証が成功すると、制御部４０７は、メモリカード３００との情報の送受信において、認証部４０３による機器認証で生成されたセッション鍵を用いて秘密通信を行う。説明の簡略化のため、以下の説明において、セッション鍵を用いた暗号化及び復号の処理については、言及しない。
【０１０７】
制御部４０７は、短距離通信制御部４０２、短距離通信部４０１、アンテナ４２４及び携帯電話１００を介してメモリカード３００へ精算開始信号を送信する。
次に、短距離通信制御部４０２、短距離通信部４０１、アンテナ４２４及び携帯電話１００を介してメモリカード３００から、入場フラグと乗車駅とを受信する。受信した入場フラグが「０」であると、メモリカード３００による入場時の処理が行われていないとみなし、開閉制御部４２２へゲートの閉鎖を指示し、表示部４１３及びスピーカ４１６を介して、エラー表示及び警告音を出力し、以降の処理を中止する。
【０１０８】
受信した入場フラグが「１」であると、制御部４０７は、メモリカード３００による入場時の処理が行われたとみなし、受信した乗車駅を運賃検索部４２１に出力する。次に、運賃検索部４２１から運賃を受け取り、受け取った運賃を、短距離通信制御部４０２、短距離通信部４０１、アンテナ４２４及び携帯電話１００を介してメモリカード３００へ送信する。
【０１０９】
次に、短距離通信制御部４０２、短距離通信部４０１、アンテナ４２４及び携帯電話１００を介して、メモリカード３００から精算結果を受信する。受信した精算結果が「０」であると、メモリカード３００の電子マネー残高が不足しているとみなし、開閉制御部４２２へゲートの閉鎖を指示し、表示部４１３及びスピーカ４１６を介して、エラー表示及び警告音を出力し、以降の処理を中止する。
【０１１０】
受信した精算結果が「１」であると、次に、短距離通信制御部４０２、短距離通信部４０１、アンテナ４２４及び携帯電話１００を介して、メモリカード３００へ鍵消去指示を送信する。
次に、短距離通信制御部４０２、短距離通信部４０１、アンテナ４２４及び携帯電話１００を介して、メモリカード３００へ精算完了信号を送信する。
【０１１１】
また、このとき、正常に退場の処理が終了したことを示す乗車フラグ「０」、退場日時などをメモリカード３００へ送信してもよい。
（６）スピーカ４１６、表示部４１３、感知センサ４１５
スピーカ４１６は、制御部４０７の制御により、各種のメッセージ音を出力する。表示部４１３は、制御部４０７の制御により、各種の情報を表示する。また、感知センサ４１５は、利用者の通過を感知する。感知センサ４１５は、具体的には複数の発光部と各発光部に対応する受光部とを備え、利用者の通過方向（駅構内から外へ又は外から駅構内へ）を検出する。
【０１１２】
（７）開閉制御部４２２及びゲート扉４２３
開閉制御部４２２は、制御部４０７の制御の基に、ゲート扉４２３の開閉の制御を行う。ゲート扉４２３は、開閉制御部４２２の制御により開閉し、利用者の通行を許可し、又は阻止する。
１．８  場所限定コンテンツ利用システム１の動作
場所限定コンテンツ利用システム１の動作について、図面を用いて以下に説明する。
【０１１３】
（１）電子マネーの入金処理
電子マネーチャージャー６００及びメモリカード３００による電子マネーの入金処理について、図１２に示すフローチャートを用いて説明する。
利用者によりメモリカード３００が、電子マネーチャージャー６００に装着されると、電子マネーチャージャー６００及びメモリカード３００は、機器認証を行う（ステップＳ１１１）。電子マネーチャージャー６００及びメモリカード３００は、機器認証が失敗であれば、以降の処理を中止する。
【０１１４】
機器認証が成功であれば、電子マネーチャージャー６００は、利用者によるスタートボタンの押下を受け付ける（ステップＳ１１２）。次に、図７に示す投入画面６２２を生成し、表示部６１３に表示する（ステップＳ１１３）。利用者による現金の投入を受け付け（ステップＳ１１４）、投入金額を算出する（ステップＳ１１６）。次に、表示部６１３に、図７に示す確認画面６２３を表示し（ステップＳ１１７）、利用者のボタン操作を受け付ける（ステップＳ１１８）。追加ボタンの押下を受け付けると（ステップＳ１１８）、ステップＳ１１４に戻り、確認ボタンが押下されるまで、ステップＳ１１４〜ステップＳ１１８の処理を繰り返す。
【０１１５】
確認ボタンの押下を受け付けると（ステップＳ１１８）、電子マネーチャージャー６００は、算出した投入金額をメモリカード３００へ出力する（ステップＳ１２１）。
次に、終了画面６２４を生成し（ステップＳ１２３）、生成した終了画面６２４を表示部６１３に表示する（ステップＳ１２４）。
メモリカード３００は、電子マネーチャージャー６００から投入金額を受け取り、自身の記憶している電子マネー残高３２２に受け取った投入金額を加算する（ステップＳ１２２）。
【０１１６】
（２）入場時の処理
入場時の処理について、図１３に示すフローチャートを用いて説明する。
自動改札機４００は、通信開始信号を送信する（ステップＳ１３１）。
メモリカード３００は、携帯電話１００を介して、自動改札機４００から通信開始信号を受信し、携帯電話１００を介して、自動改札機４００に応答信号を送信する（ステップＳ１３２）。
【０１１７】
自動改札機４００は、駅の外側に向けて設置されたアンテナ４２４及び携帯電話１００を介して、メモリカード３００から応答信号を受信する。次に、自動改札機４００とメモリカード３００は機器認証を行う（ステップＳ１３６）。
機器認証が失敗であれば（ステップＳ１３７）、自動改札機４００は、ゲートを閉鎖し（ステップＳ１３８）、以降の処理を中止する。
【０１１８】
機器認証が成功であれば（ステップＳ１３７のＹＥＳ）、自動改札機４００は、ゲートを開く（ステップＳ１３９）。なお、ゲートが、初めから開いている場合には、ステップＳ１３９は省略する。
次に、自動改札機４００は、自身が設置されている駅の駅名を読み出し（ステップＳ１４１）、読み出した駅名を、乗車駅として、メモリカード３００へ送信する（ステップＳ１４４）。
【０１１９】
メモリカード３００は、機器認証が失敗であれば（ステップＳ１４３のＮＯ）、以降の処理を中止する。
機器認証が成功であれば（ステップＳ１４３のＹＥＳ）、自動改札機４００から、携帯電話１００を介して、乗車駅を受信し、受信した乗車駅を情報記憶部３１０のセキュア領域３２１に書き込み（ステップＳ１４６）、入場フラグ３３２を「１」に設定する（ステップＳ１４７）。
【０１２０】
次に、メモリカード３００は、携帯電話１００を介して、自動改札機４００へ再生鍵要求信号を送信する（ステップＳ１４８）。
自動改札機４００は、携帯電話１００を介して再生鍵要求信号を受信する。再生鍵要求信号を受信すると、情報記憶部４１０から再生鍵４３１を読み出し（ステップＳ１４９）、読み出した再生鍵４３１を、携帯電話１００を介してメモリカード３００へ送信する（ステップＳ１５１）。
【０１２１】
メモリカード３００は、携帯電話１００を介して、自動改札機４００から再生鍵を受信する。受信した再生鍵を、情報記憶部３１０のセキュア領域３２１に書き込む（ステップＳ１５２）。
（３）携帯電話１００によるコンテンツ再生
携帯電話１００によるコンテンツ再生の処理について、図１４に示すフローチャートを用いて説明する。
【０１２２】
携帯電話１００は、利用者によるボタン操作を受け付ける（ステップＳ１６１）。コンテンツ再生を示すボタン操作を受け付けると（ステップＳ１６１）、現在時刻とコンテンツ要求信号とをメモリカード３００へ送信する（ステップＳ１６４）。
その他のボタン操作を受け付けると、その他の処理を行う（ステップＳ１６２）。
メモリカード３００は、携帯電話１００から、現在時刻とコンテンツ要求信号とを受け取る。受け取った現在時刻を再生開始時刻として一時的に記憶し（ステップＳ１６７）、情報記憶部３１０から再生鍵３２３、暗号化コンテンツ３３５及び再生情報３３６に含まれる暗号化コンテンツ鍵「ａｂ０Ａ」を読み出す（ステップＳ１６８）。読み出した再生鍵３２３、暗号化コンテンツ鍵「ａｂ０Ａ」及び暗号化コンテンツ３３５を、携帯電話１００へ送信する（ステップＳ１６９）。具体的には、暗号化コンテンツ３３５は、複数のブロックから構成されており、メモリカード３００は、ブロックを先頭から順に読み出し、携帯電話１００へ送信する。
【０１２３】
携帯電話１００は、メモリカード３００から再生鍵と暗号化コンテンツ鍵と暗号化コンテンツとを受信する。受信した再生鍵を用いて、受信した暗号化コンテンツ鍵を復号し、コンテンツ鍵を生成する（ステップＳ１７１）。
生成したコンテンツ鍵を用いて、受信した暗号化コンテンツを復号し、コンテンツを生成する（ステップＳ１７２）。生成したコンテンツを、伸長し、画面及び音声を生成し、生成した画面及び音声を出力することにより、コンテンツを再生する（ステップＳ１７３）。
【０１２４】
次に、コンテンツを最後まで再生し終えたか否かを判断し（ステップＳ１７４）、再生し終えたと判断すると（ステップＳ１７４のＹＥＳ）、ステップＳ１７８へ処理を移す。
再生し終えていないと判断し（ステップＳ１７４のＮＯ）、さらに、利用者による再生停止を示すボタン操作を受け付けた場合（ステップＳ１７６のＹＥＳ）、携帯電話１００は、メモリカード３００に再生終了信号と現在時刻とを送信する（ステップＳ１７８）。
【０１２５】
再生停止を示すボタン操作を受け付けなければ（ステップＳ１７６のＮＯ）、コンテンツを再生し終えるか、再生停止を示すボタン操作を受け付けるまで、ステップＳ１７２〜ステップＳ１７６の処理を繰り返す。
メモリカード３００は、携帯電話１００から再生終了信号と現在時刻とを受け取る。受け取った現在時刻を再生終了時刻とし、記憶している再生開始時刻と再生終了時刻とから再生時間を算出する（ステップＳ１７９）。次に、情報記憶部３１０に記憶されている再生情報３３６に含まれる料金「５．０」と算出した再生時間との積を求め、求めた積を視聴料金３３９に加算する（ステップＳ１８１）。
【０１２６】
（４）退場時の処理
自動改札機４００及びメモリカード３００による退場時の処理について、図１５〜１６に示すフローチャートを用いて説明する。
自動改札機４００は、携帯電話１００を介して、メモリカード３００に通信開始信号を送信する（ステップＳ１９１）。
【０１２７】
メモリカード３００は、携帯電話１００を介して、自動改札機４００から通信開始信号を受信する。通信開始信号を受信すると、携帯電話１００を介して、応答信号を送信する（ステップＳ１９２）。
自動改札機４００は、携帯電話１００を介して、メモリカード３００から応答信号を受信し、メモリカード３００との間で機器認証を行う（ステップＳ１９４）。
【０１２８】
機器認証が失敗であると判断すると（ステップＳ１９６のＮＯ）、自動改札機４００は、ステップＳ２２１へ処理を移す。
機器認証が成功であれば（ステップＳ１９６のＹＥＳ）、自動改札機４００は、携帯電話１００を介して、精算開始信号をメモリカード３００へ送信する（ステップＳ１９８）。
【０１２９】
機器認証が失敗である場合（ステップＳ１９７のＮＯ）、メモリカード３００は、以降の処理を中止する。
機器認証が成功である場合（ステップＳ１９７のＹＥＳ）、メモリカード３００は、携帯電話１００を介して自動改札機４００から精算開始信号を受信する。精算開始信号を受信すると、情報記憶部３１０から入場フラグ３３２と乗車駅３３３とを読み出す（ステップＳ２０１）。携帯電話１００を介して、読み出した入場フラグ３３２と乗車駅３３３とを自動改札機４００へ送信する（ステップＳ２０３）。ここで、情報記憶部３１０に乗車駅３３３が存在しない場合は、「０００」を乗車駅として送信する。
【０１３０】
携帯電話１００を介して、自動改札機４００は、メモリカード３００から入場フラグと乗車駅とを受信する。受信した入場フラグを判別する（ステップＳ２０６）。入場フラグが「０」であれば（ステップＳ２０６の「０」）、ステップＳ２２１へ処理を移す。
入場フラグが「１」であれば（ステップＳ２０６の「１」）、自動改札機４００は、自身の記憶している駅名を降車駅として、受信した乗車駅と降車駅との組合せに対応する運賃を運賃表４４１から抽出する（ステップＳ２０７）。抽出した運賃を携帯電話１００を介してメモリカード３００へ送信する（ステップＳ２０９）。
【０１３１】
メモリカード３００は、携帯電話１００を介して、自動改札機４００から運賃を受信する。運賃を受信すると、情報記憶部３１０から視聴料金３３９を読み出し（ステップＳ２１１）、受信した運賃と読み出した視聴料金３３９との和を算出し、算出した和と情報記憶部に記憶されている電子マネー残高３２２とを比較する（ステップＳ２１３）。
電子マネー残高３２２が算出した和以上であれば（ステップＳ２１３のＹＥＳ）、電子マネー残高３２２から算出した和を減算する（ステップＳ２１４）。次に、精算結果「１」を生成する（ステップＳ２１６）。
【０１３２】
電子マネー残高３２２が算出した和未満であれば（ステップＳ２１３のＮＯ）、精算結果「０」を生成する（ステップＳ２１７）。
次に、携帯電話１００を介して生成した精算結果を、自動改札機４００へ送信する（ステップＳ２１８）。
自動改札機４００は、携帯電話１００を介して、メモリカード３００から精算結果を受信する。受信した精算結果が「０」である場合（ステップＳ２１９の「０」）、ゲートを閉鎖する（ステップＳ２２１）。
【０１３３】
受信した精算結果が「１」である場合（ステップＳ２１９の「１」）、携帯電話１００を介して、メモリカード３００に鍵消去指示を送信する（ステップＳ２２３）。
メモリカード３００は、生成した精算結果が「０」であれば（ステップＳ２２０の「０」）、以降の処理を中止する。
生成した精算結果が「１」であれば（ステップＳ２２０の「１」）、メモリカード３００は、次に、携帯電話１００を介して、自動改札機４００から鍵消去指示を受け取り、情報記憶部３１０のセキュア領域３２１に記憶している再生鍵３２３を消去する（ステップＳ２２４）。次に、視聴料金３３９を「０」に初期化する（ステップＳ２２７）。
【０１３４】
次に、自動改札機４００は、携帯電話１００を介して、メモリカード３００へ精算完了信号を送信する（ステップＳ２２９）。
メモリカード３００は、携帯電話１００を介して、自動改札機４００から精算完了信号を受信する。精算完了信号を受信すると、情報記憶部３１０から乗車駅３３３を消去する（ステップＳ２３１）。次に、入場フラグ３３２を「０」に設定する（ステップＳ２３２）。
【０１３５】
（５）機器認証
２つの機器間での機器認証の動作について図１７〜図１８を用いて説明する。
なお、この相互認証の方法は一例であり、他の認証方法、鍵共有方法を用いてもよい。また、機器認証は、コンテンツ管理装置２００とメモリカード３００の間、電子マネーチャージャー６００とメモリカード３００の間、携帯電話１００とメモリカード３００との間及び自動改札機４００とメモリカード３００との間で行うため、ここでは双方の機器を、機器Ａ及び機器Ｂとして説明する。
【０１３６】
ここで、Ｇｅｎ（）を鍵生成関数とし、Ｙをシステム固有のパラメータとする。鍵生成関数Ｇｅｎ（）は、Ｇｅｎ（ｘ，Ｇｅｎ（ｚ，Ｙ））＝Ｇｅｎ（ｚ，Ｇｅｎ（ｘ，Ｙ））の関係を満たすものとする。鍵生成関数は任意の公知技術で実施可能なため、詳細についてここでは説明しない。
機器Ａは、公開鍵証明書Ｃｅｒｔ＿Ａを読み出し（ステップＳ４０１）、読み出した公開鍵証明書Ｃｅｒｔ＿Ａを機器Ｂへ送信する（ステップＳ４０２）。
【０１３７】
公開鍵証明書Ｃｅｒｔ＿Ａを受信した機器Ｂは、認証局の公開鍵ＰＫ＿ＣＡを用いて、公開鍵証明書Ｃｅｒｔ＿Ａに含んで受信した認証局の署名データＳｉｇ＿ＣＡに署名検証アルゴリズムＶを施して署名検証する（ステップＳ４０３）。ここで、署名検証アルゴリズムＶは、署名生成アルゴリズムＳにより生成された署名データを検証するアルゴリズムである。署名検証の結果が失敗であれば（ステップＳ４０４のＮＯ）処理を終了する。
【０１３８】
署名検証の結果が成功であれば（ステップＳ４０４のＹＥＳ）、機器Ｂは、ＣＲＬを読み出し（ステップＳ４０５）、公開鍵証明書Ｃｅｒｔ＿Ａに含んで受信したＩＤ番号ＩＤ＿Ａが読み出したＣＲＬに登録されているか否かを判断する（ステップＳ４０６）。登録されていると判断すると（ステップＳ４０６のＹＥＳ）、処理を終了する。
登録されていないと判断すると（ステップＳ４０６のＮＯ）、機器Ｂは、公開鍵証明書Ｃｅｒｔ＿Ｂを読み出し（ステップＳ４０７）、読み出した公開鍵証明書Ｃｅｒｔ＿Ｂを機器Ａに送信する（ステップＳ４０８）。
【０１３９】
公開鍵証明書Ｃｅｒｔ＿Ｂを受信した機器Ａは、認証局の公開鍵ＰＫ＿ＣＡを用いて、公開鍵証明書Ｃｅｒｔ＿Ｂに含んで受信した認証局の署名データＳｉｇ＿ＣＡに署名検証アルゴリズムＶを施して署名検証する（ステップＳ４０９）。署名検証の結果が失敗であれば（ステップＳ４１０のＮＯ）、処理を終了する。
署名検証の結果が成功であれば（ステップＳ４１０のＹＥＳ）、機器Ａは、ＣＲＬを読み出し（ステップＳ４１１）、公開鍵証明書Ｃｅｒｔ＿Ｂに含んで受信したＩＤ番号ＩＤ＿Ｂが読み出したＣＲＬに登録されているか否かを判断する（ステップＳ４１２）。登録されていると判断すると（ステップＳ４１２のＹＥＳ）、処理を終了する。登録されていないと判断すると（ステップＳ４１２のＮＯ）、処理を継続する。
【０１４０】
機器Ｂは、乱数Ｃｈａ＿Ｂを生成し（ステップＳ４１３）、生成した乱数Ｃｈａ＿Ｂを機器Ａに送信する（ステップＳ４１４）。
機器Ａは、乱数Ｃｈａ＿Ｂを受信し、機器Ａの秘密鍵ＳＫ＿Ａを用いて、受信した乱数Ｃｈａ＿Ｂに署名生成アルゴリズムＳを施して署名データＳｉｇ＿Ａを生成し（ステップＳ４１５）、生成した署名データＳｉｇ＿Ａを機器Ｂへ送信する（ステップＳ４１６）。
【０１４１】
機器Ｂは、署名データＳｉｇ＿Ａを受信すると、公開鍵証明書Ｃｅｒｔ＿Ａに含んで受信した機器Ａの公開鍵ＰＫ＿Ａを用いて、受信した署名データＳｉｇ＿Ａに、署名検証アルゴリズムＶを施して署名検証する（ステップＳ４１７）。署名検証の結果が失敗であると判断すると（ステップＳ４１８のＮＯ）処理を終了する。署名検証の結果が成功であると判断すると（ステップＳ４１８のＹＥＳ）、処理を続ける。
【０１４２】
機器Ａは、乱数Ｃｈａ＿Ａを生成し（ステップＳ４１９）、生成した乱数Ｃｈａ＿Ａを機器Ａに送信する（ステップＳ４２０）。
機器Ｂは、乱数Ｃｈａ＿Ａを受信し、機器Ｂの秘密鍵ＳＫ＿Ｂを用いて、受信した乱数Ｃｈａ＿Ａに署名生成アルゴリズムＳを施して署名データＳｉｇ＿Ｂを生成し（ステップＳ４２１）、生成した署名データＳｉｇ＿Ｂを機器Ａへ送信する（ステップＳ４２２）。
【０１４３】
機器Ａは、署名データＳｉｇ＿Ｂを受信すると、公開鍵証明書Ｃｅｒｔ＿Ｂに含んで受信した機器Ｂの公開鍵ＰＫ＿Ｂを用いて、受信した署名データＳｉｇ＿Ｂに、署名検証アルゴリズムＶを施して署名検証する（ステップＳ４２３）。署名検証の結果が失敗であると判断すると（ステップＳ４２４のＮＯ）処理を終了する。署名検証の結果が成功であると判断すると（ステップＳ４２４のＹＥＳ）、次に、乱数「ａ」を生成し（ステップＳ４２５）、生成した乱数「ａ」を用いてＫｅｙ＿Ａ＝Ｇｅｎ（ａ，Ｙ）を生成し（ステップＳ４２６）、生成したＫｅｙ＿Ａを機器Ｂへ送信する（ステップＳ４２７）。
【０１４４】
機器Ｂは、Ｋｅｙ＿Ａを受信すると、乱数「ｂ」を生成し（ステップＳ４２８）、生成した乱数「ｂ」を用いてＫｅｙ＿Ｂ＝Ｇｅｎ（ｂ，Ｙ）を生成し（ステップＳ４２９）、生成したＫｅｙ＿Ｂを機器Ａへ送信する（ステップＳ４３０）。
また、生成した乱数「ｂ」と受信したＫｅｙ＿Ａとを用いて、Ｋｅｙ＿ＡＢ＝Ｇｅｎ（ｂ，Ｋｅｙ＿Ａ）＝Ｇｅｎ（ｂ，Ｇｅｎ（ａ，Ｙ））を生成し、これをセッション鍵とする（ステップＳ４３１）。
【０１４５】
機器Ａは、Ｋｅｙ＿Ｂを受信し、生成した乱数「ａ」と受信したＫｅｙ＿ＢとからＫｅｙ＿ＡＢ＝Ｇｅｎ（ａ，Ｋｅｙ＿Ｂ）＝Ｇｅｎ（ａ，Ｇｅｎ（ｂ，Ｙ））を生成し、これをセッション鍵とする（ステップＳ４３２）。
１．９まとめ
図１９は、本実施の形態の各機器間で送受信される情報の流れを示している。
【０１４６】
利用者が、メモリカード３００を装着した携帯電話１００を所持して駅構内へ入場する際に、自動改札機４００は、再生鍵４３１を読み出し、読み出した再生鍵を携帯電話１００を介して、メモリカード３００へ送信する。また、利用者が駅構内から退場する際に、鍵消去指示を送信する。
鍵書込部３１６は、制御部３０７に含まれており、入出力部３０１、携帯電話１００を介して自動改札機４００から、再生鍵３２３を受け取り、受け取った再生鍵を、情報記憶部３１０に書き込む。また、自動改札機４００から鍵消去指示を受け取り、再生鍵３２３を消去する。
【０１４７】
携帯電話１００は、利用者によるボタン操作によりコンテンツの再生を指示されると、メモリカード３００から、再生鍵３２３、暗号化コンテンツ鍵３３７及び暗号化コンテンツ３３５を読み出す。
鍵復号部１２７は、制御部１０７に含まれており、入出力部１０５を介してメモリカード３００から再生鍵と暗号化コンテンツ鍵とを読み出し、読み出した再生鍵を用いて暗号化コンテンツ鍵を復号し、コンテンツ鍵を生成する。生成したコンテンツ鍵を復号部１２８へ出力する。
【０１４８】
復号部１２８及び再生部１２９は、デコード部１０９に含まれる。
復号部１２８は、メモリカード３００から暗号化コンテンツを読み出し、鍵復号部１２７から、コンテンツ鍵を受け取る。受け取ったコンテンツ鍵を用いて暗号化コンテンツを復号し、コンテンツを生成する。生成したコンテンツを再生部１２９へ出力する。
再生部１２９は、復号部１２８からコンテンツを受け取る。受け取ったコンテンツを伸長し、画面及び音声を生成し、生成した画面及び音声を表示部１１３及びスピーカ１１８へ出力する。
【０１４９】
メモリカード３００が、再生鍵３２３を記憶していない場合、携帯電話１００は、コンテンツ鍵を生成することができないため、コンテンツを再生することができない。
このようにして、携帯電話１００は、駅構内及び列車内でのみコンテンツの再生をすることができる。さらに、上述したように、再生鍵の授受を乗車駅の送信と合わせて行い、再生鍵の消去を電子マネーを利用した運賃の精算と合わせて行うことで、メモリカード３００に記憶されている再生鍵を確実に消去することができる。これにより、駅構内及び列車内以外における、コンテンツの不正な再生を防ぐことができる。
【０１５０】
また、上記の説明では、自動改札機４００からメモリカード３００へ再生鍵を送信するとしているが、図２０に示すように、メモリカード３００が予め再生鍵を記憶しているとしてもよい。
この場合、図２０に示すように、利用者が、メモリカード３００を装着した携帯電話１００を所持して駅構内へ入場する際に、自動改札機４００は、再生鍵に代わって、コンテンツの再生を許可することを示す許可情報を、メモリカード３００に送信する。また、利用者が、駅構内から退場する際に、自動改札機４００は、鍵消去指示に代わって、コンテンツの再生を禁止することを示す禁止情報を、メモリカード３００に送信する。
【０１５１】
メモリカード３００の制御部３０７は、スイッチ制御部３１７及びスイッチ３１８を含む。スイッチ制御部３１７は、入出力部３０１は、携帯電話１００を介して、自動改札機４００から許可情報又は禁止情報を受信する。許可情報を受信すると、スイッチ３１８を閉じて、再生鍵３２３を読み出し可能な状態にする。  禁止情報を受信すると、スイッチ３１８を開き、再生鍵３２３を読み出し不可能な状態にする。
【０１５２】
なお、スイッチ３１８は、物理的なスイッチであってもよいし、制御部３０７が記憶しているスイッチフラグであるとしてもよい。例えば、スイッチフラグ「１」であれば、再生鍵３２３の読み出しを許可し、スイッチフラグ「０」であれば、再生鍵の読み出しを禁止する。
携帯電話１００は、メモリカード３００から再生鍵３２３と暗号化コンテンツ鍵３３７と暗号化コンテンツ３３５とを読み出す。
【０１５３】
制御部１０７に含まれる鍵復号部１２７は、入出力部１０５を介してメモリカード３００から再生鍵と暗号化コンテンツ鍵とを読み出し、読み出した再生鍵を用いて暗号化コンテンツ鍵を復号し、コンテンツ鍵を生成する。生成したコンテンツ鍵を復号部１２８へ出力する。
復号部１２８は、メモリカード３００から暗号化コンテンツを読み出し、鍵復号部１２７から、コンテンツ鍵を受け取る。受け取ったコンテンツ鍵を用いて暗号化コンテンツを復号し、コンテンツを生成する。生成したコンテンツを再生部１２９へ出力する。
【０１５４】
再生部１２９は、復号部１２８からコンテンツを受け取る。受け取ったコンテンツを伸長し、画面及び音声を生成し、生成した画面及び音声を表示部１１３及び１１８へ出力する。
メモリカード３００のスイッチ３１８が開いている場合、携帯電話１００は、再生鍵を読み出すことができないため、コンテンツ鍵を生成することができず、コンテンツを再生できない。
【０１５５】
このようにして、携帯電話１００は、駅構内及び列車内でのみコンテンツの再生をすることができる。さらに、自動改札機４００とメモリカード３００との間で、再生鍵の送受信を行わないため、再生鍵の盗聴による不正なコンテンツの再生を防ぐことができる。
２．実施の形態２
本発明に係る実施の形態として、地域限定コンテンツ利用システム２について以下に説明する。
２．１  地域限定コンテンツ利用システム２
地域限定コンテンツ利用システム２は、図２１に示すように、携帯電話１５０、コンテンツ管理装置２５０、電子マネーチャージャー６００及びＧＰＳ衛星１６、１７、１８・・・から構成される。
【０１５６】
コンテンツ配信メーカ２５の所有するコンテンツ管理装置２５０は、インターネット２０に接続されている。また、携帯電話１５０は、携帯電話網１０及び基地局１５を介してインターネット２０と接続されている。
コンテンツ管理装置２５０は、一例として映像、音声から成る映画、テレビ番組又は文字から成る書籍といったコンテンツを記憶している。また、コンテンツごとに異なるコンテンツ鍵とコンテンツ鍵を用いて、前記コンテンツを暗号化して生成された暗号化コンテンツとを記憶している。
【０１５７】
さらに、コンテンツ管理装置２５０は、各コンテンツの視聴が許可されている地域を示す、視聴地域を記憶している。
コンテンツ配信メーカ２５は、コンテンツ管理装置２５０を用いて、メモリカード３５０に、暗号化コンテンツとコンテンツ鍵と視聴地域を含む再生情報とを書き込む。
利用者は、コンテンツ配信メーカ２５から出荷されたメモリカード３５０を、販売店３０を介して購入する。
【０１５８】
携帯電話１５０は、ＧＰＳ衛星から測距信号を受信し、受信した測距信号を基に、携帯電話１５０自身の存在する位置の緯度及び経度を算出する。また、メモリカード３５０を装着可能である。
携帯電話１５０により算出された緯度及び経度の示す位置が、メモリカード３５０に記憶されている視聴地域内である場合にのみ、携帯電話１５０は、メモリカード３５０から暗号化コンテンツを読み出し、復号し、コンテンツを再生することができる。
【０１５９】
なお、本実施の形態において、各機器は、情報の送受信を行う際に相互に機器認証を行い、共通のセッション鍵を生成し、生成したセッション鍵を用いて秘密通信を行う。以下の説明において、簡略化のため、セッション鍵を用いた暗号化及び復号の処理については言及しない。
２．２  コンテンツ管理装置２５０
コンテンツ管理装置２５０は、コンテンツ情報記憶部２６１、送受信部２０１、入出力部２０５、制御部２５７、認証部２０３、入力部２１２及び表示部２１３から構成される。
【０１６０】
コンテンツ管理装置２５０は、具体的にはマイクロプロセッサ、ＲＯＭ、ＲＡＭ、ハードディスクを含んで構成されるコンピュータシステムであって、ＲＡＭ、ＲＯＭ、ハードディスクユニットには、コンピュータプログラムが記憶されている。前記マイクロプロセッサが前記コンピュータプログラムに従って動作することにより、コンテンツ管理装置２５０は、その機能の一部を達成する。
【０１６１】
送受信部２０１、入出力部２０５、認証部２０３、入力部２１２及び表示部２１３の、構成及び動作は、実施の形態１のコンテンツ管理装置２００内の送受信部２０１、入出力部２０５、認証部２０３、入力部２１２及び表示部２１３と同様であるので、説明を相略する。
（１）コンテンツ情報記憶部２６１
コンテンツ情報記憶部２６１は、具体的には、ハードディスクユニットから構成され、一例として、図２２に示すように、コンテンツ情報表２２１、視聴地域表２７１、コンテンツファイル２４１、２４６、２５１・・・を記憶している。
【０１６２】
コンテンツ情報表２２１、コンテンツファイル２４１、２４６、２５１・・・は、実施の形態１と同様であるので説明を省略する。
視聴地域表２７１は、図２３に示すように、複数の視聴地域情報２７２、２７３、２７４・・・から構成され、各視聴地域情報は、コンテンツＩＤと視聴地域とを含む。コンテンツＩＤは、各コンテンツを一意に識別する識別情報である。視聴地域は、コンテンツＩＤの示すコンテンツを視聴できる地域を示しており、緯度と経度とを含む。例えば、視聴地域情報２７２は、コンテンツＩＤ「００１」で識別されるコンテンツが、緯度「３２’５０”〜３５’１５”」、経度「１３０’００”〜１３３’８０”」の地域で視聴可能であることを示している。
【０１６３】
（２）制御部２５７
制御部２５７は、入力部２１２を介して利用者による各種の指示及び情報を受け取る。
認証部２０３とメモリカード３５０の認証部３５３との間の機器認証が、成功し、入力部３１２を介して、コンテンツＩＤ「００１」とコンテンツの書き込み指示を受け取ると、制御部２５７は、受け取ったコンテンツＩＤ「００１」を含むコンテンツ情報２２２をコンテンツ情報表２２１から選択し、選択したコンテンツ情報２２２に含まれるファイル名２「ＦＩＬＡＢ」を抽出する。抽出したファイル名２「ＦＩＬＡＢ」を基にコンテンツファイル２４６を選択し、選択したコンテンツファイル２４６に含まれる暗号化コンテンツ２４８を読み出し、入出力部２０５を介して、読み出した暗号化コンテンツ２４８を、メモリカード３５０の一般領域３８１に書き込む。
【０１６４】
次に、選択したコンテンツ情報２２２からコンテンツ鍵「ＡＢ０１」を抽出し、抽出したコンテンツ鍵「ＡＢ０１」をメモリカード３５０のセキュア領域３７１に書き込む。
次に、受け取ったコンテンツＩＤ「００１」を基に、視聴地域表２７１から、視聴地域情報２７２を選択する。選択したコンテンツ情報２２２からコンテンツＩＤ「００１」と料金「５．０」とを抽出し、選択した視聴地域情報２７２から視聴地域を抽出し、抽出したコンテンツＩＤ「００１」と料金「５．０」と視聴地域とを再生情報として、メモリカード３５０のセキュア領域３７１に書き込む。
２．３  メモリカード３５０
メモリカード３５０は、図２４に示すように、入出力部３５１、認証部３５３、制御部３５７、精算部３５６及び情報記憶部３６０から構成される。
【０１６５】
メモリカード３５０は、具体的には、マイクロプロセッサ、ＲＡＭ、ＥＥＰＲＯＭなどを含むコンピュータシステムであり、前記ＲＡＭ、ＥＥＰＲＯＭにはコンピュータプログラムが記憶されている。前記マイクロプロセッサが、前記コンピュータプログラムに従って動作することにより、メモリカード３５０は、その機能の一部を達成する。
入出力部３５１及び認証部３５３の構成と動作は、実施の形態１のメモリカード３００の入出力部３０１及び認証部３０３と同様であるので、説明を省略する。
【０１６６】
（１）情報記憶部３６０
情報記憶部３６０は、ＥＥＰＲＯＭなどの書き込み可能で不揮発性の記録素子から構成され、セキュア領域３７１と一般領域３８１を含む。認証部３５３との機器認証に成功した外部機器のみが、セキュア領域３７１内の情報を利用することができる。
セキュア領域３７１は、一例として、電子マネー残高３７２、コンテンツ鍵３７３、再生情報３８３及び視聴フラグ３８４を記憶しており、一般領域３８１は、一例として、暗号化コンテンツ３８２と現在地情報３８５とを記憶している。
【０１６７】
電子マネー残高３７２は、メモリカード３５０に蓄えられている電子マネーの金額である。コンテンツ鍵３７３は、暗号化コンテンツ３８２を復号するための鍵値であり、コンテンツ管理装置２５０の記憶しているコンテンツ情報２２２に含まれるコンテンツ鍵「ＡＢ０１」と同一のものである。
暗号化コンテンツ３８２は、一例として、映画、テレビ番組といったコンテンツをコンテンツ鍵を用いて、暗号化して生成されたものであり、コンテンツ管理装置２５０の記憶している暗号化コンテンツ２４８と同一のものである。
【０１６８】
再生情報３８３は、図２５に示すように、コンテンツＩＤ「００１」と料金「５．０」と視聴地域とからなり、視聴地域は、緯度「３２’５０”〜３５’１５”」と経度「１３０’００”〜１３３’８０”」とを含む。コンテンツＩＤ「００１」は、暗号化コンテンツ３８２を復号して生成されるコンテンツと対応する識別情報であり、料金「５．０」は、コンテンツＩＤ「００１」の示すコンテンツの再生に係る料金を示しており、その単位は「円／分」である。
【０１６９】
視聴地域は、コンテンツＩＤ「００１」の示すコンテンツが緯度「３２’５０”〜３５’１５”」、経度「１３０’００”〜１３３’８０”」に該当する地域内で視聴可能であることを示している。コンテンツＩＤ「００１」と料金「５．０」と視聴地域は、コンテンツ管理装置２５０の記憶しているコンテンツ情報２２２及び視聴地域情報２７２に含まれるコンテンツＩＤ、料金及び視聴地域と同一のものである。
【０１７０】
視聴フラグ３８４は、メモリカード３５０が視聴地域内に存在するか否かを表しており、視聴フラグ「０」は視聴地域外、視聴フラグ「１」は視聴地域内にメモリカード３５０が存在することを示す。
現在地情報３８５は、メモリカード３５０の現在地であり、図２５に示すように、現緯度３９６と現経度３９７とを含む。図２５に示す現在地情報３８５は、一例として、現在メモリカード３５０が緯度「３５’００”」、経度「１３２’００”」の地点に存在することを示している。
【０１７１】
（２）精算部３５６
精算部３５６は、制御部３５７から、投入金額を受け取り、精算を指示される。また、制御部３５７から、再生時間を受け取り、精算を指示される。
精算部３５６は、制御部３５７から投入金額を受け取り、精算を指示されると、情報記憶部３６０のセキュア領域３７１に記憶されている電子マネー残高３２２を読み出し、読み出した電子マネー残高３７２に受け取った投入金額を加算し、加算後の電子マネー残高をセキュア領域３７１に上書きする。次に、制御部３５７へ電子マネーの精算が正常に終了したことを示す終了信号を出力する。
【０１７２】
精算部３５６は、制御部３５７から再生時間を受け取り、精算を指示されると、情報記憶部３６０のセキュア領域３７１に記憶されている再生情報３８３から料金「５．０」を抽出し、受け取った再生時間と抽出した料金「５．０」とを基に、
式  ：  視聴料金＝料金「５．０」×再生時間  
により、視聴料金を算出する。次に、情報記憶部３６０のセキュア領域３７１から電子マネー残高３７２を読み出し、読み出した電子マネー残高３７２から視聴料金を減算し、減算後の値を電子マネー残高３７２に上書きする。
【０１７３】
次に、電子マネーの精算が正常に終了したことを示す終了信号を、制御部３５７へ出力する。
（３）制御部３５７
制御部３５７は、時間の経過を計測するｔｉｍｅカウンタを備える。また、位置情報の取得時間間隔「１５分」を記憶している。
【０１７４】
認証部３５３と電子マネーチャージャー６００の認証部６０３による機器認証が成功すると、入出力部３５１を介して電子マネーチャージャー６００から投入金額を受け取る。受け取った投入金額を精算部３５６へ出力し、精算を指示する。次に、精算部３０６から正常に電子マネーの精算が終了したことを示す終了信号を受け取る。
また、認証部３５３と携帯電話１５０の認証部１０３との機器認証が成功すると、制御部３５７は、取得時間間隔「１５分」ごとに、以下に説明する位置判断処理を繰り返す。
【０１７５】
また、入出力部３５１を介して、携帯電話１５０からコンテンツ要求信号を受信する。携帯電話１５０から、コンテンツ要求信号を受信すると、以下に説明するコンテンツ出力の処理を行う。また、コンテンツの出力を開始すると、コンテンツ出力と並行して出力終了チェックの処理を行う。
以下に、位置判断処理、コンテンツ出力の処理及び出力終了チェックについて説明する。
【０１７６】
（位置判断処理）
制御部３５７は、携帯電話１５０へ位置取得指示を送信する。携帯電話１５０から、緯度と経度とからなる位置情報を取得すると、現在地情報３８５を、取得した位置情報で上書きする。
次に、情報記憶部３６０に記憶されている再生情報３８３に含まれる視聴地域を構成する緯度「３２’５０”〜３５’１５”」及び経度「１３０’００’〜１３３’８０”」を読み出す。現在地情報３８５に含まれる現緯度３９６が読み出した緯度「３２’５０”〜３５’１５”」に含まれ、かつ、現経度３９７が、読み出した経度「１３０’００’〜１３３’８０”」に含まれると判断すると、視聴フラグ３８４を「１」に設定する。それ以外の場合、視聴フラグ３８４を「０」に設定する。
【０１７７】
（コンテンツ出力の処理）
制御部３５７は、入出力部３５１を介して、携帯電話１５０からコンテンツ要求信号を受信すると、情報記憶部３６０内のセキュア領域３７１から視聴フラグ３８４を読み出し、読み出した視聴フラグ３８４が「０」であると、入出力部３５１を介して携帯電話１５０へ、メモリカード３５０及び携帯電話１５０がコンテンツの視聴地域外に存在することを示す地域エラー信号を出力し、以下に説明する暗号化コンテンツの出力を中止する。
【０１７８】
視聴フラグ３８４が「１」であれば、制御部３５７は、情報記憶部３６０から、電子マネー残高３７２を読み出す。読み出した電子マネー残高３７２が「０」であると、メモリカード３５０の記憶している電子マネーが不足しているため、コンテンツを再生することができないことを示す残高エラーを携帯電話１５０に送信し、暗号化コンテンツ３８２の出力を中止する。
【０１７９】
電子マネー残高３７２が「０」でなければ、読み出した電子マネー残高３７２と再生情報３８３に含まれる料金「５．０」とを基に、メモリカード３５０の記憶している電子マネーでコンテンツを視聴できる時間（以下、視聴可能時間と呼称する）を算出する。具体的には、
式  ：  視聴可能時間＝電子マネー残高÷料金
により、視聴可能時間を算出する。
【０１８０】
次に、ｔｉｍｅカウンタを「０」に初期化し、時間の計測を開始する。コンテンツ鍵３７３と暗号化コンテンツ３８２とを読み出し、入出力部３５１を介して、読み出したコンテンツ鍵３７３を携帯電話１５０へ出力する。次に、暗号化コンテンツ３８２を構成するブロックを先頭から順に読み出し、読み出したブロックを携帯電話１５０へ順次出力する。
【０１８１】
（出力終了チェック処理）
暗号化コンテンツ３８２の出力を開始すると、制御部３５７は、視聴フラグ３８４が「１」か「０」かを判別し、視聴フラグ３８４が「０」であると判断すると、暗号化コンテンツ３８２の出力を中止し、ｔｉｍｅカウンタを停止する。ｔｉｍｅカウンタの値を再生時間として精算部３５６へ出力し、精算を指示し、精算部３５６から終了信号を受け取る。次に、入出力部３５１を介して、携帯電話１５０に、メモリカード３５０及び携帯電話１５０が視聴地域外に存在することを示す地域エラー信号を出力する。
【０１８２】
視聴フラグ３８４が「１」であると、次に、算出した視聴可能時間とｔｉｍｅカウンタとを比較する。視聴可能時間がｔｉｍｅカウンタ以下であると判断すると、暗号化コンテンツ３８２の出力を中止し、ｔｉｍｅカウンタを停止させる。ｔｉｍｅカウンタの値を再生時間として精算部３５６へ出力し、精算を指示する。次に、精算部３５６から電子マネーの精算が正常に終了したことを示す終了信号を受け取る。次に、入出力部３５１を介して、携帯電話１５０に、メモリカード３５０内の電子マネーが不足しておりコンテンツの再生ができないことを示す残高エラー信号を出力する。
【０１８３】
視聴可能時間がｔｉｍｅカウンタより大きいと判断すると、次に、携帯電話１５０から再生終了信号を受信したか否かを確認し、受信していなければ、視聴フラグ３８４が「０」になるか、視聴可能時間がｔｉｍｅカウンタ以下になるか、携帯電話１５０から再生終了信号を受信するまで、視聴フラグ３８４の判別及び、視聴可能時間とｔｉｍｅカウンタとの比較を繰り返す。
【０１８４】
携帯電話１５０から再生終了信号を受信していると、制御部３５７は、暗号化コンテンツ３８２の出力を中止し、ｔｉｍｅカウンタを停止する。次に、ｔｉｍｅカウンタの値を再生時間として精算部３５６へ出力し、精算を指示する。その後、精算部３５６から終了信号を受け取る。
２．４  携帯電話１５０
携帯電話１５０は、図２６に示すように、電話通信部１１５、電話通信制御部１１６、マイク１１７、スピーカ１１８、ＧＰＳ通信部１５１、ＧＰＳ通信制御部１５２、入出力部１０５、制御部１５７、アンテナ１２１、アンテナ１６２、入力部１１２、表示部１１３、デコード部１０９及び認証部１０３から構成される。
【０１８５】
携帯電話１５０は、具体的には、マイクロプロセッサ、信号処理プロセッサ、ＲＯＭ、ＲＡＭなどを含んで構成されるコンピュータシステムである。マイクロプロセッサ及び信号処理プロセッサが、携帯電話１００が内蔵するコンピュータプログラムに従って動作することにより、携帯電話１００は、その一部の機能を達成する。
電話通信部１１５、電話通信制御部１１６、マイク１１７、スピーカ１１８、入出力部１０５、アンテナ１２１、入力部１１２、表示部１１３、デコード部１０９及び認証部１０３の構成及び動作は、実施の形態１の携帯電話１００の電話通信部１１５、電話通信制御部１１６、マイク１１７、スピーカ１１８、入出力部１０５、アンテナ１２１、入力部１１２、表示部１１３、デコード部１０９及び認証部１０３と同様であるので、説明を省略する。
【０１８６】
（１）ＧＰＳ通信制御部１５２、ＧＰＳ通信部１５１、アンテナ１６２
アンテナ１６２及びＧＰＳ通信部１５１は、制御部１５７の制御により、４個のＧＰＳ衛星１６、１７、・・・１８から、１．６ＧＨｚ帯のマイクロ波により、送信される測距信号を受信し、増幅し、復調する。ＧＰＳ通信制御部１５２は、制御部１５７の制御により、受信した測距信号を用いて、携帯電話１５０が存在する位置情報（緯度及び経度）を算出し、算出した位置情報を制御部１５７へ出力する。
【０１８７】
（２）制御部１５７
認証部１０３とメモリカード３５０の認証部３５３との機器認証が成功すると、制御部１５７は、入出力部１０５を介して、メモリカード３５０から位置取得指示を受信する。
位置取得指示を受信すると、制御部１５７は、ＧＰＳ通信制御部１５２へ位置情報の取得を指示する。ＧＰＳ通信制御部１５２から緯度及び経度からなる位置情報を受け取ると、制御部１５７は、受け取った位置情報を入出力部１０５介してメモリカード３５０へ出力する。
【０１８８】
また、入力部１１２から、利用者のボタン操作に対応する各種の操作指示情報を受け取る。コンテンツの再生を示す操作指示情報を受け取ると、制御部１５７は、入出力部１０５を介して、メモリカード３５０にコンテンツ要求信号を送信する。
次に、入出力部１０５を介して、メモリカード３５０から、地域エラー信号、残高エラー信号又はコンテンツ鍵と暗号化コンテンツとを受け取る。
【０１８９】
地域エラー信号を受け取ると、制御部１５７は、現在地がコンテンツの視聴地域外であることを通知する地域エラー画面を生成し、表示部１１３に表示する。
残高エラー信号を受け取ると、制御部１５７は、メモリカード３５０の記憶している電子マネーが不足していることを示す残高エラー画面を生成し、生成した残高エラー画面を表示部１１３に表示する。
【０１９０】
コンテンツ鍵と暗号化コンテンツとを受け取ると、制御部１５７は、受け取ったコンテンツ鍵と暗号化コンテンツとをデコード部１０９へ出力し、コンテンツの再生を指示する。
コンテンツの再生中に、制御部１５７は、入力部１１２から、再生停止を示す操作指示情報を受け取る。又は、メモリカード３００から地域エラー信号又は残高エラー信号を受け取る。
【０１９１】
入力部１１２から再生停止を示す操作指示情報を受け取る場合又はコンテンツを最後まで再生し終わる場合、制御部１５７は、再生終了信号をメモリカード３５０へ送信する。
メモリカード３００から、地域エラー信号を受け取る場合、制御部１５７は、現在地がコンテンツの視聴地域外であることを通知する地域エラー画面を生成し、表示部１１３に表示する。
【０１９２】
メモリカード３００から残高エラー信号を受信する場合、制御部１５７は、メモリカード３５０に記憶されている電子マネーが不足しており、コンテンツの再生ができないことを示す残高エラー画面を生成し、生成した残高エラー画面を表示部１１３に表示する。
２．５  地域限定コンテンツ利用システム２の動作
本実施の形態２のコンテンツ再生の処理における、各装置の動作について、図２７〜図３１に示すフローチャートを用いて以下に説明する。なお、以下の動作の前に、メモリカード３５０と携帯電話１５０との機器認証は成功しているものとする。
【０１９３】
（１）メモリカード３５０による処理
メモリカード３５０の行う処理について、図２７に示すフローチャートを用いて説明する。
メモリカード３５０は、携帯電話１５０との間の機器認証が成功すると、取得時間間隔「１５分」ごとに（ステップＳ３０１）、位置判断処理を行う（ステップＳ３０２）。
【０１９４】
また、携帯電話１５０からコンテンツ要求信号を受信すると（ステップＳ３０６）、コンテンツ出力の処理を行う（ステップＳ３０７）。
また、メモリカード３５０から携帯電話１５０への暗号化コンテンツ３８２の出力が開始されると（ステップＳ３０８）、並行して、出力終了チェックの処理を行う（ステップＳ３０９）。
【０１９５】
（２）位置判断処理
メモリカード３００及び携帯電話１５０による位置判断処理について、図２８に示すフローチャートを用いて説明する。なお、これは、図２７のステップＳ３０２の詳細である。
メモリカード３５０は、携帯電話１５０に位置取得指示を出力する（ステップＳ３１２）。
【０１９６】
携帯電話１５０は、メモリカード３５０から位置取得指示を受け取ると、ＧＰＳ衛星１６、１７、・・・１８とから測距信号を受信し、受信した測距信号を基に緯度と経度とからなる位置情報を算出する（ステップＳ３１４）。次に、算出した位置情報を、メモリカード３５０へ送信する（ステップＳ３１６）。
メモリカード３５０は、携帯電話１５０から位置情報を受信し、受信した位置情報により、現在地情報３８５を更新する（ステップＳ３１７）。次に、更新した現在地情報２８５に含まれる現緯度３９６及び現経度３９７の示す位置が、視聴地域内であるか否か判定する（ステップＳ３１８）。現緯度３９６及び現経度３９７により示される地点が視聴地域内であれば（ステップＳ３１８のＹＥＳ）、視聴フラグ２８４を「１」に設定する（ステップＳ３２１）。現緯度３９６、現経度３９７の示す位置が視聴地域外であれば（ステップＳ３１８のＮＯ）、視聴フラグ２８４を「０」に設定する（ステップＳ３１９）。
【０１９７】
（３）コンテンツ出力
メモリカード３５０による携帯電話１５０へのコンテンツ出力処理について、図２９に示すフローチャートを用いて説明する。なお、これは、図２７のステップＳ３０７の詳細である。
メモリカード３５０は、情報記憶部３１０に記憶されている視聴フラグ３８４を判別する（ステップＳ３３１）。視聴フラグ３８４が「０」であれば（ステップＳ３３１の「０」）、図３０〜３１に示す出力終了チェックのステップＳ３６６へ処理を移す。
【０１９８】
視聴フラグ３８４が「１」であれば（ステップＳ３３１の「１」）、情報記憶部３１０から電子マネー残高３７２を読み出す（ステップＳ３３２）。読み出した電子マネー残高３７２が「０」であると（ステップＳ３３３のＹＥＳ）、図３０〜３１に示す出力終了チェックのステップＳ３７６へ処理を移す。
読み出した電子マネー残高３７２が「０」でなければ（ステップＳ３３３のＮＯ）、読み出した電子マネー残高３７２を再生情報３８３に含まれる料金「５．０」で除算し、視聴可能時間を算出する（ステップＳ３３６）。次に、ｔｉｍｅカウンタを「０」に初期化し、コンテンツの再生時間の計測を開始する（ステップＳ３３７）。
【０１９９】
次に、メモリカード３５０は、情報記憶部３１０からコンテンツ鍵３７３と暗号化コンテンツ３８２とを読み出し（ステップＳ３３８）、読み出したコンテンツ鍵３７３を携帯電話１５０へ出力する（ステップＳ３３９）。次に、暗号化コンテンツ３８２を構成するブロックを先頭から、携帯電話１５０へ出力する（ステップＳ３４１）。全てのブロックを出力し終えたか否かを確認し（ステップＳ３４２）、全てのブロックを出力し終えるまで、ステップＳ３４１〜３４２を繰り返す。
【０２００】
携帯電話１５０は、メモリカード３５０からコンテンツ鍵を受け取り、暗号化コンテンツをブロックごとに順次受け取り、受け取ったコンテンツ鍵を用いて、受け取った暗号化コンテンツを復号してコンテンツを生成し（ステップＳ３４４）、生成したコンテンツを伸長し、画面及び音声を生成し、生成した画面及び音声を表示部１１３及びスピーカ１１８を介して出力する（ステップＳ３４６）。
【０２０１】
（４）出力終了チェック
出力終了チェックの処理について、図３０〜３１に示すフローチャートを用いて説明する。なお、これは、図２７に示すステップＳ３０９の詳細である。
メモリカード３５０から携帯電話１５０への暗号化コンテンツの出力が開始され、携帯電話１５０は、受け取った暗号化コンテンツを復号し、再生する（ステップＳ３４６）。
【０２０２】
利用者による再生停止を示すボタン操作を受け付けると（ステップＳ３４７のＹＥＳ）、ステップＳ３５３へ処理を移す。利用者による再生停止を示すボタン操作を受け付けなければ（ステップＳ３４７のＮＯ）、コンテンツを最後まで再生し終えたか否かを判断し（ステップＳ３４９）、コンテンツを最後まで再生し終えていれば（ステップＳ３４９のＹＥＳ）、携帯電話１５０は、メモリカード３５０に再生終了信号を出力する（ステップＳ３５３）。
【０２０３】
コンテンツを最後まで再生し終えていなければ（ステップＳ３４９のＮＯ）、ステップＳ３４６へ処理を移し、コンテンツを最後まで再生し終えるか、再生停止を示すボタン操作を受け付けるまで、ステップＳ３４６〜ステップＳ３４９の処理を繰り返す。
メモリカード３５０は、暗号化コンテンツ３８２の携帯電話１５０へ出力を開始すると、視聴フラグ３８４を確認する（ステップＳ３５１）。視聴フラグ３８４が「０」であると（ステップＳ３５１の「０」）、コンテンツの出力を中止する（ステップＳ３６１）。次にｔｉｍｅカウンタを停止し（ステップＳ３６２）、ｔｉｍｅカウンタと再生情報３８３に含まれる料金「５．０」とからコンテンツの視聴に係る視聴料金を算出し、電子マネー残高３７２から算出した視聴料金を減算する（ステップＳ３６３）。次に、携帯電話１５０へ、地域エラー信号を出力する（ステップＳ３６６）。
【０２０４】
携帯電話１５０は、メモリカード３５０から地域エラー信号を受け取り、現在地がコンテンツの視聴地域外であることを示す地域エラー画面を生成し、生成した地域エラー画面を表示する（ステップＳ３６７）。
視聴フラグが「１」であると（ステップＳ３５１の「１」）、次に、視聴可能時間とｔｉｍｅカウンタとを比較する（ステップＳ３５２）。視聴可能時間がｔｉｍｅカウンタ以下であると（ステップＳ３５２のＮＯ）、コンテンツの出力を中止し（ステップＳ３７１）、ｔｉｍｅカウンタを停止する（ステップＳ３７２）。ｔｉｍｅカウンタと再生情報３８３に含まれる料金「５．０」とからコンテンツの視聴に係る視聴料金を算出し、電子マネー残高３７２から算出した視聴料金を減算する（ステップＳ３７３）。次に、メモリカード３５０は、携帯電話１５０に残高エラー信号を送信する（ステップＳ３７６）。
【０２０５】
携帯電話１５０は、メモリカード３５０から残高エラー信号を受信し、メモリカード３５０の残高が不足しているためコンテンツの再生ができない旨を通知する残高エラー画面を生成し、表示部１１３へ表示する（ステップＳ３７７）。
視聴可能時間が、ｔｉｍｅカウンタより大きいと（ステップＳ３５２のＹＥＳ）、次に、携帯電話１５０から再生終了信号を受信しているか否かを判定し（ステップＳ３５６）、受信していなければ（ステップＳ３５６のＮＯ）、ステップＳ３５１へ戻り、ステップＳ３５１〜ステップＳ３５６の処理を繰り返す。
【０２０６】
携帯電話１５０から再生終了信号を受信していれば（ステップＳ３５６のＹＥＳ）、メモリカード３５０は、暗号化コンテンツ３８２の出力を中止し（ステップＳ３５７）、ｔｉｍｅカウンタを停止させる（ステップＳ３５８）。次に、ｔｉｍｅカウンタと、再生情報３８３に含まれる料金「５．０」を基に、コンテンツの視聴に係る視聴料金を算出する。算出した視聴料金を電子マネー残高３７２から減算する（ステップＳ３５９）。
２．６  まとめ
上記のように、本発明における実施の形態２の地域限定コンテンツ利用システム２は、ＧＰＳ衛星を利用し、メモリカード３５０、携帯電話１５０及び利用者の位置を検出し、検出した位置がコンテンツの視聴地域内であるか否かを判断し、視聴地域内であれば視聴を可能にする。
【０２０７】
このようにして、コンテンツの再生を、視聴地域内のみに限定することができる。また、緯度及び経度を基準にして視聴の可否を判断するため、塀やゲートにより区切られた地域に限らず、視聴地域を任意に設定することができる。
３．実施の形態３
本発明に係る実施の形態として、場所限定コンテンツ利用システムについて、以下に説明する。
３．１  場所限定コンテンツ利用システム
場所限定コンテンツ利用システムは、実施の形態１の場所限定コンテンツ利用システムと同様に、携帯電話、複数の自動改札機及び電子マネーチャージャーを含んで構成される。さらに、本実施の形態の場所限定コンテンツ利用システムは、さらに、複数の特急用改札機を含む。
【０２０８】
携帯電話、複数の自動改札機及び電子マネーチャージャーについては、実施の形態１と同様であるので、ここでは、実施の形態１と異なる部分を中心に説明する。
本実施の形態において、特急列車の停車する駅には、特急専用ホームがあり、特急専用ホームと自動改札機の間に、特急用改札機が設置されている。
利用者は、メモリカードを装着した携帯電話を所持して、自動改札機を通過して、駅構内に入場した後、特急用改札機を通過して特急専用ホームへ入場する。
【０２０９】
利用者の操作により、コンテンツの再生を指示されると、携帯電話１００は、メモリカードから再生鍵、暗号化コンテンツ鍵及び暗号化コンテンツを読み出し、これらを用いてコンテンツを再生する。このとき、特急専用ホームに入場した後であれば、メモリカードは、暗号化コンテンツ全てを携帯電話へ出力する。駅構内に入場した後であるが、特急専用ホームへは入場していなければ、暗号化コンテンツの一部分のみを、携帯電話へ出力する。
３．２  メモリカード７００
図３２に示すように、メモリカード７００は、実施の形態１において説明したメモリカード３００と同様に、入出力部３０１、認証部３０３、精算部７０６、制御部７０７及び情報記憶部７１０から構成される。
【０２１０】
入出力部３０１及び認証部３０３は、実施の形態１において説明した入出力部３０１及び認証部３０３と同様であるので、ここでは説明を省略する。
（１）情報記憶部７１０
情報記憶部７１０は、セキュア領域７２１及び一般領域７３１から構成され、図３２に示すように、各種の情報を記憶している。ここでは、実施の形態１において既に述べた情報についての説明は省略し、再生レベル７２４、特急入場フラグ７３２、特急乗車駅７３３、暗号化コンテンツ７３５についてのみ説明する。
【０２１１】
暗号化コンテンツ７３５は、図３２に示すように、暗号化プレビュー７３６と暗号化映画コンテンツ７３７を含む。暗号化メインコンテンツ７３８は、映像及び音声からなるメインコンテンツをコンテンツ鍵を用いて暗号化して生成されたものである。暗号化プレビューは、メインコンテンツのプレビューをコンテンツ鍵を用いて暗号化して生成されたものである。プレビューは、メインコンテンツの宣伝や要約から構成される。例えば、メインコンテンツが映画であれば、映画のハイライトシーンをつなげたものであるし、メインコンテンツが音楽データであれば、各楽曲のイントロ部分をつなげたものである。実施の形態３に関するに下の説明において、「コンテンツ」とは、プレビューとメインコンテンツとを含むもの全体を指す。
【０２１２】
再生レベル７２４は、メモリカード７００を装着された携帯電話１００が再生できるコンテンツの部分を示しており、「０」、「１」、「２」の何れかである。再生レベル「０」は、コンテンツの再生ができないことを示している。メモリカード７００が、販売又は配布された時点では、再生レベル「０」が記憶されている。再生レベル「１」は、コンテンツのうちプレビューの部分のみ再生できることを示している。再生レベル「２」は、コンテンツ全てを再生できること示している。
【０２１３】
特急入場フラグ７３２は、メモリカード７００と特急用改札機との間で、入場時の処理（後述する）が行われたか否かを示す情報であり、特急入場フラグ「１」は、入場時の処理が行われたことを示し、特急入場フラグ「０」入場処理時をしていないことを示している。
特急乗車駅７３３は、メモリカード７００が携帯電話１００を介して入場時の処理を行った駅の駅名、つまり、利用者が特急に乗車する駅の駅名である。
【０２１４】
（２）精算部７０６
精算部７０６は、制御部７０７の指示に従い、実施の形態１の精算部３０６と同様の処理を行う。さらに、精算部７０６は、制御部７０７から、特急料金と精算の指示とを受け取る。
特急料金と精算の指示とを受け取ると、情報記憶部７１０のセキュア領域７２１から電子マネー残高３２２を読み出し、読み出した電子マネー残高３２２と受け取った特急料金とを比較する。電子マネー残高３２２が特急料金以上であれば、精算部７０６は、電子マネー残高３２２から特急料金を減算し、減算した結果を電子マネー残高としてセキュア領域７２１に上書きする。次に、制御部７０７へ電子マネーの精算が正常に終了したことを示す終了信号を出力する。
【０２１５】
読み出した電子マネー残高３２２が算出した受け取った特急料金未満であると、電子マネーが不足であること示すエラー信号を生成し、生成したエラー信号を制御部７０７に出力する。
（３）制御部７０７
制御部７０７は、実施の形態１のメモリカード３００の制御部３０７と同様にして、電子マネーの課金処理、自動改札機との間の入場時の処理及び退場時の処理を行う。ただし、入場時の処理において、自動改札機から再生鍵を受け取った後、制御部７０７は、再生レベル７２４をプレビューのみ再生可能であることを示す「１」に書き換え、退場時の処理においては、入場フラグを「０」に書き換えた後、制御部７０７は、再生レベル７２４を再生不可を示す「０」に書き換える。
【０２１６】
さらに、メモリカード７００を装着した携帯電話１００を所持した利用者が、特急用改札機を通過して、特急専用ホームへ入場する際には、制御部７０７は、携帯電話１００を介して特急用改札機との間で、入場時の処理を行う。メモリカード７００と特急用改札機との間の入場時の処理は、実施の形態１で説明したメモリカード３００と自動改札機との間の入場時の処理のうちの、再生鍵の受け渡しの処理を省略したものとほぼ同様である（図１３ステップＳ１３１〜ステップＳ１４７参照）。なお、メモリカード７００は、乗車駅に代わって、特急乗車駅を受け取り、入場フラグ３３２に代わって、特急入場フラグ７３２を「１」に書き換え、特急入場フラグ７３２を書き換えた後、再生レベル７２４を「２」に書き換える。
【０２１７】
また、利用者が、特急用改札機を通過して、特急専用ホームから退場する際には、制御部７０７は、携帯電話１００を介して、特急用改札機との間で退場時の処理を行う。特急用改札機との間の退場時の処理は、実施の形態１で説明した自動改札機とメモリカード３００の制御部３０７との間の退場時の処理の再生鍵の消去と視聴料金の初期化の処理を省略したものとほぼ同様である（図１５及び図１６のステップＳ１９１〜ステップＳ２２０、ステップＳ２２７〜ステップＳ２３２参照）。なお、この場合、制御部７０７は、運賃に代わって特急料金を特急用改札機から受信し、乗車駅３３３に代わって特急乗車駅７３３を削除し、入場フラグ３３２に代わって特急入場フラグ７３２を「０」に変更する。さらに、特急入場フラグ７３２を「０」に変更した後、再生レベル７２４を「１」に書き換える。
【０２１８】
また、メモリカード７００が携帯電話１００に装着された状態で、入出力部３０１を介して、携帯電話１００からコンテンツ要求信号と現在時刻とを受信し、実施の形態１の場合と同様にしてコンテンツ再生の処理を行う。ただし、再生鍵３２３、暗号化コンテンツ鍵及び暗号化コンテンツ７３５を、携帯電話１００へ出力する前に、情報記憶部７１０から再生レベル７２４を読み出し、読み出した再生レベル７２４が、コンテンツ全てを再生できること示す「２」であれば、再生鍵３２３、暗号化コンテンツ鍵及び暗号化コンテンツ７３５を出力する。
【０２１９】
読み出した再生レベル７２４が、プレビューのみを再生できること示す「１」であれば、制御部７０７は、再生鍵３２３、暗号化コンテンツ鍵及び暗号化コンテンツ７３５に含まれる暗号化プレビュー７３６を出力する。
読み出した再生レベル７２４が、再生できないこと示す「０」であれば、再生できないことを示すエラー信号を携帯電話１００へ出力する。
３．３  特急用改札機
特急用改札機は、駅構内の特急専用ホームへの改札口に設置されており、特急専用ホームへの利用者の入退場を管理する。
【０２２０】
特急用改札機は、自動改札機と同様に短距離通信部、短距離通信制御部、アンテナ、表示部、スピーカ、情報記憶部、運賃検索部、制御部、開閉制御部、ゲート扉、感知センサ及び認証部から構成される。短距離通信部、短距離通信制御部、アンテナ、表示部、スピーカ、運賃検索部、開閉制御部、ゲート扉、感知センサ及び認証部は、実施の形態１の自動改札機４００を構成する短距離通信部４０１、短距離通信制御部４０２、アンテナ４２４、表示部４１３、スピーカ４１６、運賃検索部４２１、開閉制御部４２２、ゲート扉４２３、感知センサ４１５及び認証部４０３と同様であるので、ここでは説明を省略する。
【０２２１】
（１）情報記憶部
情報記憶部は、特急料金表を記憶している。特急料金表は、運賃表４４１と同様の構成であり、特急を利用する区間と特急料金とを対応付ける表である。
ここで、運賃検索部は、運賃表４４１に代わって特急料金表内から、特急乗車駅と特急降車駅の組み合わせに対応する特急料金を抽出する。特急降車駅とは、特急用改札機が設置されている駅である。
【０２２２】
（２）制御部
制御部は、特急用改札機の設置されている駅の駅名を記憶している。
制御部は、短距離通信制御部、短距離通信部、アンテナを介して、定期的に通信開始信号を出力しており、短距離通信制御部、短距離通信部、アンテナ及び携帯電話を介して、メモリカード７００を検出する。利用者が外から駅構内へ向かって通過する場合、つまり、駅外側に向けて設置されているアンテナを介してメモリカード７００から応答信号を受信する場合、入場時の処理を行う。利用者がホームから外へ向かって通過する場合、つまり、駅構内側のアンテナを介してメモリカード７００から応答信号を受信する場合、退場時の処理を行う。  
【０２２３】
入場時の処理は、自動改札機４００の制御部４０７による入場時の処理とほぼ同様であるが、再生鍵の読み出し及び送信は行わない。
退場時の処理は、自動改札機４００の制御部４０７による退場時の処理とほぼ同様であるが、鍵消去指示の送信は行わない。
３．４  まとめ・効果
以上説明してきたように、実施の形態３のメモリカード７００は、自動改札機及び特急用自動改札機との間で、通信を行う際に再生レベル７２４を書き換える。携帯電話からコンテンツ要求信号を受け取った場合、自身の記憶している再生レベルに応じて、携帯電話へ暗号化コンテンツ７３５の全て又は一部を出力する。
【０２２４】
従って、利用者は、駅構内に入場すると、コンテンツのうちプレビューの部分のみを視聴することが可能になり、さらに、特急専用ホームに入場すると、メインコンテンツを視聴することが可能になる。
このようにすることで、コンテンツの再生を、駅構内及び車両内では、コンテンツの利用を促進し、駅の外でのコンテンツの不正な利用を防止することが出来る。さらに、これらのサービスを提供している鉄道会社にとっては、利用者に対して特急の利用を促進することができる。
【０２２５】
ここでは、駅構内への入場、特急専用ホームへの入場により段階的に再生レベルを上げ、コンテンツのうちの再生可能な部分を２段階で増やす構成であるが、グリーン車を利用する場合に、さらに再生レベルを上げ、３段階に分けて再生可能な部分を増やすようにしても良い（例えば、メイキングの様子を撮影した特別コンテンツなど）。これにより、さらに、収益性の高いサービスの利用を促進することができる。
４．その他の変形例
上記の実施の形態１〜３に基づいて説明してきたが、本発明は、これらの実施の形態に限るものではない。以下のような場合も本発明に含まれる。
【０２２６】
（１）実施の形態１〜３では、コンテンツの視聴に対して、再生時間に比例した課金処理を行っているが、一律の料金を課金するとしてもよい。
具体的には、実施の形態１及び３では、入場時の処理の際に、再生鍵を受け取ると同時に料金を精算する。この場合、コンテンツの視聴を希望しない利用者は、予め、再生鍵の受け取りを拒否する設定をすることができるようにしておいてもよい。
【０２２７】
実施の形態２では、メモリカード３５０は、さらに、料金フラグを記憶している。料金フラグは、「０」又は「１」の値を持ち、「０」は料金未精算、「１」は料金精算済みを示す。
メモリカード３５０は、携帯電話１５０からコンテンツ要求信号を受信し、視聴フラグ「１」と判断すると、次に料金フラグを判別し、「１」であれば、コンテンツ鍵及び暗号化コンテンツを携帯電話１５０へ出力する。
【０２２８】
料金フラグ「０」であれば、電子マネー残高から料金を精算する。精算が終了すると、料金フラグを「１」に設定し、コンテンツ鍵及び暗号化コンテンツを携帯電話１５０へ出力する。
（２）実施の形態１〜３では、利用者はコンテンツの記録されたメモリカード３００、３５０及び７００を販売店３０で購入するとしているが、コンテンツ配信メーカにより無料で配布されるとしてもよい。
【０２２９】
メモリカードを無料で提供することにより、より多くの人にコンテンツの視聴を促すことができる。
（３）実施の形態１〜３では、視聴料金を時間に比例した課金処理を行っているが、利用者の視聴したデータ量に比例するとしてもよい。
具体的には、書籍、新聞などのテキストデータ又は静止画像で構成されるコンテンツのように、利用者によって視聴する時間が異なるコンテンツに対しては、テキストの文字数、静止画像の枚数又は視聴したデータの総ビット数に比例した視聴料金を算出し、精算する。
【０２３０】
（４）上記の実施の形態及び変形例において、メモリカードは、複数の暗号化コンテンツと各暗号化コンテンツと対応する再生情報を記憶しているとしてもよい。
（５）実施の形態１及び３において、メモリカード３００は、退場時の処理において、電子マネーにより運賃の精算をするとしているが、切符、回数券、定期券といった電子チケットを記憶しており、運賃の精算に代えて、電子チケットの確認処理を行うとしてもよい。
【０２３１】
具体的には、メモリカード３００は、情報記憶部に電子チケットを記憶している。電子チケットは、有効期限及び利用区間情報を含む。メモリカード３００は、上述した入場時の処理及び退場時の処理の際に、携帯電話１００を介して、自動改札機４００に有効期限及び利用区間情報を送信する。
自動改札機４００は、有効期限が切れていないことと自身が設置されている駅が利用区間に含まれることを確認する。有効期限が切れている場合又は自身が設置されている駅が利用区間に含まれていない場合に、ゲートを閉鎖する。
【０２３２】
さらに、メモリカードは各種の特典ポイント、クーポン券、割引券などを記憶しており、電子マネーや電子チケットに代わって、又は電子マネーと合わせて、ポイントなどをにより精算を行ってもよい。
（６）実施の形態１では、鉄道の駅構内及び列車内でのみコンテンツを利用できるシステムについて説明したが、鉄道の駅及び列車に代わって、空港及び飛行機の機内、バスなど、他の交通機関であってもよい。
【０２３３】
また、高速道路の入口を通過してから、出口を出るまでの間、コンテンツを利用できるシステムであってもよい。
（７）また、実施の形態１及び３は、交通機関に限らず、コンサート会場、劇場、映画館、遊園地などに関するシステムであってもよい。この場合、メモリカード３００は、予め、これらの会場へ入場するための電子チケットとコンテンツとを記憶している。利用者は、メモリカード３００を携帯電話１００に装着し、自動改札機４００を通過する。
【０２３４】
自動改札機４００は、メモリカード３００に記憶されている電子チケットの公演名、公演日時、整理番号などを確認すると供に再生鍵を送信する。
また、退場時には、メモリカード３００に再生鍵の消去を指示する。
さらに、電子チケットに代わって、学校、会社といった特定の特定の建物、特定の敷地、特定の部屋への通行許可証を記憶していてもよい。これらの場合、自動改札機と同様の機能を備えた入退場管理装置が備えられている。入退場管理装置は、自動改札機と同様にして、メモリカードとの間で、機器認証、再生鍵の受け渡しなどを行うが、自動改札機のような、扉は必ずしも必要ではない。
【０２３５】
（８）上記の（７）において、前記電子チケットの販売者は、電子チケットと合わせてコンテンツを販売し（又は特典として配布し）、同一の公演であっても、公演日時によって異なるコンテンツを提供するとしてもよい。
このように、公演日時により異なるコンテンツを販売又は配布することにより、利用者に、繰り返し来場することを促すことができる。
【０２３６】
（９）実施の形態１、３及び変形例では、メモリカードは、暗号化コンテンツと暗号化コンテンツ鍵を記憶しており、入場時の処理において、自動改札機４００から再生鍵を受け取るとしているが、自動改札機４００からメモリカード３００へ、コンテンツ自体を受け渡すとしてもよい。
この場合、メモリカード３００は、入場時に、自動改札機４００からコンテンツを受け取り、退場時に、自動改札機４００の指示により、コンテンツを削除する。
【０２３７】
特に、実施の形態３の場合、メモリカード７００は、自動改札機から再生鍵に代わってプレビューを受け取り、特急用改札機から、メインコンテンツを受け取るとしてもよい。
（１０）実施の形態１では、メモリカード３００は、駅改札の入場時に既に暗号化コンテンツ又はコンテンツを記憶しているが、駅構内へ入場してから、コンテンツを取得しても良い。
【０２３８】
具体的には、駅構内に暗号化コンテンツ及び暗号化コンテンツ鍵を販売する自動販売機が設置されている。自動販売機は、暗号化コンテンツ、暗号化コンテンツ鍵及び販売価格情報を記憶している。
利用者はメモリカード３００を自動販売機に装着する。
自動販売機は、メモリカード３００から入場フラグを読み出し、入場フラグが「０」であれば、メモリカード３００が自動改札機との間で入場の処理をしていないため、コンテンツを取得することができないことを示すエラー信号を送信する。
【０２３９】
入場フラグが「０」であれば、販売価格情報をメモリカード３００へ出力し、精算を要求する。
メモリカード３００は、電子マネー残高３２２から販売価格情報を減算し、自動販売機に精算終了を通知する。
自動販売機は、精算終了の通知を受けると、メモリカード３００に暗号化コンテンツ及び暗号化コンテンツ鍵を書き込む。
【０２４０】
また、実施の形態３においても同様に、駅構内へ入場してから、コンテンツを取得しても良いし、特急専用ホームに入場後に、特急専用のコンテンツを取得するとしてもよい。
（１１）上記の変形例（１０）において、自動販売機は、現金による精算を受け付けるとしても良い。
（１２）  実施の形態２において、メモリカード３５０は、携帯電話１５０のＧＰＳ通信制御部により算出された緯度と経度とからなる位置情報を取得するとしているが、メモリカード３５０が携帯電話１００のアンテナ１６２及びＧＰＳ通信部１５１を介して、ＧＰＳ衛星１６、１７・・・１８から測距信号を受信し、受信した測距信号を用いて、メモリカード３００が緯度及び経度を算出するとしてもよい。
【０２４１】
（１３）  実施の形態２において、メモリカード３５０は、携帯電話により算出された緯度経度により、携帯電話１５０及びメモリカード３５０が視聴地域内に存在するか否かを判断しているが、基地局を利用して、携帯電話１５０及びメモリカード３５０の位置を判別しても良い。
この場合、メモリカード３５０は、視聴地域の代わりに、基地局ＩＤを再生情報３８３に含んで記憶している。
【０２４２】
携帯電話１５０は、定期的に周囲の基地局から送信される電波の受信強度を比較し、最も受信強度の強い電波を送信する基地局を選択し、選択した基地局を介して、音声を含む各種の情報の送受信を行う。携帯電話１５０は、自身が選択している基地局に固有の基地局ＩＤを記憶している。携帯電話１５０は、基地局を選択し直すと、新たに選択した基地局の基地局ＩＤをメモリカード３５０へ出力する。
【０２４３】
メモリカード３００は、携帯電話１００から基地局ＩＤを受け取ると、自身の記憶している生成情報から基地局情報を読み出し、読み出した基地局情報と受け取った基地局ＩＤとを比較し、両者が一致すれば、視聴フラグを「１」に設定し、一致しなければ、視聴フラグを「０」に設定する。
（１４）  実施の形態２において、メモリカード３５０は、コンテンツの視聴地域を記憶しており、メモリカード３００が、携帯電話１５０から取得した現在地と視聴地域とを比較して、視聴可能範囲内であるか否かを判断しているが、コンテンツ管理装置２５０が判断するとしてもよい。
【０２４４】
この場合、メモリカード３５０は、携帯電話１５０から位置情報を取得し、再生情報に含まれるコンテンツＩＤ「００１」を読み出し、携帯電話１５０、携帯電話網１０及びインターネット２０を介して、コンテンツ管理装置２５０へ読み出したコンテンツＩＤ「００１」と取得した位置情報とを送信する。
コンテンツ管理装置２５０は、インターネット２０、携帯電話網１０及び携帯電話１５０を介してメモリカード３５０から、コンテンツＩＤ「００１」と位置情報とを受け取る。受け取ったコンテンツＩＤ「００１」を含む視聴地域情報２７２を視聴地域表２７１から選択し、選択した視聴地域情報２７２から視聴地域を抽出する。
【０２４５】
受信した位置情報に含まれる緯度及び経度が、抽出した視聴地域に含まれる緯度「３２’５０”〜３５’１５”」と経度「１３０’００”〜１３３’８０”」内であるか否かを判別する。
受信した位置情報に含まれる緯度が、緯度「３２’５０”〜３５’１５”」似含まれ、かつ、受信した位置情報に含まれる経度が、経度「１３０’００”〜１３３’８０”」に含まれている場合、メモリカード３５０に視聴許可信号を送信する。それ以外の場合、視聴禁止可信号を送信する。
【０２４６】
メモリカード３５０は、コンテンツ管理装置２５０から視聴許可信号又は視聴禁止信号を受信する。視聴許可信号を受信すると視聴フラグを「１」に設定し、視聴禁止信号を受信すると視聴フラグを「０」に設定する。
（１５）上記の（１４）において、メモリカード３５０は、コンテンツ鍵を記憶しておらず、コンテンツ管理装置２５０は、視聴許可信号に代わって、コンテンツ鍵を送信し、視聴禁止信号に代わってコンテンツ鍵消去指示を送信するとしてもよい。
【０２４７】
また、メモリカード３５０はコンテンツ鍵に代わって、暗号化コンテンツ鍵を記憶しており、コンテンツ管理装置２５０は、視聴許可信号に代わって、暗号化コンテンツ鍵を復号するための再生鍵を送信し、視聴禁止信号に代わって、再生鍵消去指示を送信するとしてもよい。
（１６）  上記の（１４）、（１５）において、メモリカード３５０は、コンテンツ管理装置２５０からコンテンツを受信するとしてもよい。
【０２４８】
具体的には、メモリカード３５０は、携帯電話１５０から位置情報を取得すると、携帯電話１５０、携帯電話網１０及びインターネット２０を介して、取得した位置情報を、コンテンツ管理装置２５０へ送信する。
コンテンツ管理装置２５０は、受信した位置情報の示す位置を視聴地域内に含む視聴地域情報を視聴地域表２７１から選択し、選択した視聴情報に含まれるコンテンツＩＤと対応するコンテンツを、メモリカード３５０へ送信する。
【０２４９】
（１７）  実施の形態２及び上記の（１４）〜（１６）では、視聴可能地域を、緯度と経度の範囲で指定しているが、より具体的に、都道府県、市町村といった地域を指定してもよい。
具体的には、コンテンツ管理装置２５０は、地図情報を記憶しており、各コンテンツの視聴範囲は都道府県、市町村名などで表される。
【０２５０】
コンテンツ管理装置２５０は、メモリカード３５０から受信したコンテンツＩＤを基に、視聴地域を選択し、記憶している地図情報と視聴地域から現在地が視聴地域内に含まれるか否かを判別する。
（１８）実施の形態３では、駅構内に、特急用改札機が設置されているとして説明してきたが、この構成に限るものではない。
【０２５１】
例えば、特急電車の車両の入り口や座席に乗車確認を行う機器が設置されており、利用者が特急車両に乗車する際又は乗車した後に、これらの機器とメモリカードが通信して、正常に乗車確認が正常に終了すると、再生レベル７２４を書き換えるようにしてもよい。
また、車掌が携帯型の検札端末を所持して、車内検札を行い、その際に、検札用端末がメモリカードの、再生レベル７２４を「２」に書き換えるようにしてもよい。
【０２５２】
また、駅構内に電子特急券を販売する自動販売機を設置しておき、この自動販売機から、電子特急券を購入する際に、再生レベル７２４を「２」に書き換えるようにしてもよい。
（１９）また、実施の形態３において、特急専用ホームから退場する際に再生レベルを「２」から「１」へ変更し、駅構内から退場する際に「１」から「０」へ変更しているが、特急専用ホームから退場する際には、再生レベルの変更は行わず、駅構内から退場する際に「２」から「０」へ変更してもよい。
【０２５３】
また、駅構内へ入場する前に、メモリカード７００が既に電子特急券を記憶している場合、自動改札機は、電子特急券の有効日と現在の日付とを比較し、両者が一致する場合、メモリカード７００へ、再生鍵と供に、電子特急券の確認したことを示す特急券確認通知を送信し、メモリカード７００は、特急券確認通知を受信すると、再生レベル７２４を「０」から「２」へ書き換えるとしてもよい。
【０２５４】
（２０）実施の形態３では、コンテンツは、予め、プレビューとメインコンテンツから構成されており、再生レベル「１」は、プレビューのみ再生可能であり、再生レベル「２」は、コンテンツ全てを再生可能であることを示すとして説明してきたが、再生レベルによって、部分的にコンテンツを再生可能にしてもよい。
例えば、再生レベル「１」の場合、コンテンツの先頭から１０分間に相当する部分のみ再生可能にする。具体的には、メモリカード７００の再生情報には、制限アドレスが記録されている。制限アドレスは、暗号化コンテンツを先頭から順に復号して再生した場合に、再生開始から１０分後に再生される部分に相当するブロックの記憶されている位置を示すアドレスである。
【０２５５】
メモリカード７００の制御部７０７は、再生レベル７２４が「１」の場合、暗号化コンテンツの先頭から制限アドレスに記憶されているブロックまでを携帯電話へ出力する。
（２１）  また、生成レベルに応じて、再生時間を制限してもよい。この場合、メモリカード７００は、再生情報３３６に制限時間「１０分」を含んで記憶している。
携帯電話１００からコンテンツ要求信号を受信した際に、再生レベル７２４が「１」であれば、制御部７０７は、暗号化コンテンツの出力開始と供に時間の計測を開始し、出力開始からの経過時間が制限時間「１０分」に達すると、暗号化コンテンツの出力を中止する。
【０２５６】
（２２）上記の実施３及び変形例において、暗号化プレビューと暗号化メインコンテンツとは、何れも、同一の再生鍵と暗号化コンテンツ鍵によって復号可能であるが、それぞれに対応する暗号化コンテンツ鍵と再生鍵が存在していても良い。
この場合、メモリカード７００は、暗号化プレビューに対応する第１暗号化コンテンツ鍵と、暗号化メインコンテンツに対応する第２暗号化コンテンツ鍵とを記憶している。
【０２５７】
自動改札機は、入場時の処理の際に第１暗号化コンテンツ鍵を復号するための第１再生鍵を、メモリカード７００へ送信する。
特急用改札機は、入場時の処理の際に、第２暗号化コンテンツ鍵を復号するための第２再生鍵をメモリカード７００へ送信する。
（２３）  また、実施の形態３において、コンテンツは、プレビューとメインコンテンツから構成されるとしていたが、これに限るものではなく、例えば、同一の内容の低画質コンテンツと高画質コンテンツとであり、メモリカード７００は、暗号化低画質コンテンツと暗号化高画質コンテンツとを記憶しているとしてもよい。また、この場合メモリカード７００は、再生レベル７２４が「１」であれば、暗号化低画質コンテンツと再生鍵と暗号化コンテンツ鍵とを携帯電話へ出力し、再生レベル７２４が「２」であれば、暗号化低画質コンテンツは出力せず、暗号化高画質コンテンツと再生鍵と暗号化コンテンツ鍵とを携帯電話へ出力するとしてもよい。
【０２５８】
さらに、全く関連のない複数のコンテンツと、各コンテンツに対応する再生レベルとを記憶しており、再生レベル７２４と各コンテンツに対応する再生レベルとを比較し、再生レベル７２４と一致する再生レベルのコンテンツのみを出力するとしてもよい。
（２４）上記の実施の形態１〜３において、利用者のボタン操作により、コンテンツの再生が中断された後、再び再生を開始する場合、中断された位置から再生を開始できるようにしてもよい。
【０２５９】
この場合、メモリカードの制御部は、再生が中止された時に、情報記憶部の一般領域に中断アドレスを書き込む。中断アドレスは、暗号化コンテンツを構成するブロックのうち、再生が中止された時に携帯電話へ出力中であったブロックの先頭を示す一般領域７３１上のアドレスである。もしくは、暗号化コンテンツの先頭を基準する、相対アドレスであってもよい。
【０２６０】
制御部は、携帯電話からコンテンツ要求信号を受信した際に、一般領域内において中断アドレスを検索し、中断アドレスが存在すれば、中断アドレスの示すブロックから、携帯電話へ、出力を開始する。中断アドレスが存在しなければ、暗号化コンテンツの先頭のブロックから出力を開始する。暗号化コンテンツを構成する最後のブロックを出力し終えると、中断アドレスを、一般領域から削除する。
【０２６１】
また、実施の形態１及び３においては、メモリカードは、中断アドレスをメモリカード自身が記憶する代わりに、自動改札機へ送信し、各自動改札機を管理する管理装置が、中断アドレスを記憶するとしてもよい。
この場合、退場時の処理の際に、メモリカードは、メモリカードに固有のカードＩＤとコンテンツＩＤと中断アドレスとを、自動改札機に送信する。
【０２６２】
各自動改札機は、ネットワークで、管理装置と接続されており、メモリカードから受信したカードＩＤとコンテンツＩＤと中断アドレスとを管理装置へ送信する。
管理装置は、カードＩＤとコンテンツＩＤと中断アドレスとを受信し、受信したカードＩＤとコンテンツＩＤと中断アドレスとを記憶する。
入場時の処理の際、メモリカードは、自身のカードＩＤを自動改札機に送信し、自動改札機は、管理装置に、受信したカードＩＤが記憶されているか否かを問い合わせる。記憶されている場合、受信したカードＩＤと対応するコンテンツＩＤと中断アドレスとを管理センタから取得し、メモリカードへ送信する。
【０２６３】
（２５）上記の実施の形態１及び３では、利用者の操作によって再生が停止された後、若しくは、コンテンツ全ての再生が終了した後、ホームから退場する場合について説明したが、コンテンツの再生中に、利用者が自動改札機を通過して、退場しようとした場合、メモリカードは、携帯電話よるコンテンツの再生を強制終了し、退場時の処理を実施するとしてもよい。
【０２６４】
さらに、上記の変形例（２４）においても同様に、再生中にホームから退場しようとした場合、コンテンツの再生を強制終了させ、中断アドレスを取得するとしてもよい。
（２６）実施の形態１において、メモリカード３００の一般領域３３１には、暗号化コンテンツに加えて、暗号化広告コンテンツが記憶されており、携帯電話が広告を再生した時間に応じて、コンテンツの視聴料金や乗車運賃を割引するようにしてもよい。
【０２６５】
ここで、暗号化広告コンテンツは、各種の商品、店舗、企業の広告を含む広告コンテンツを暗号化して生成されたものである。暗号化に使用される鍵は、暗号化コンテンツの生成に用いられたコンテンツ鍵と同一のものでもよいし、コンテンツ鍵とは別の広告コンテンツ鍵であってもよいが、ここでは同一のものであるとして説明する。
具体的には、入力部１１２からコンテンツの再生を示す操作指示情報を受け取ると、携帯電話１００の制御部１０７は、広告の再生をするかコンテンツの再生をするのかを利用者に選択させる選択画面を生成して、表示部１１３に表示する。利用者の選択に従って、制御部１０７は、メモリカード３００へ暗号化広告コンテンツ又は暗号化コンテンツの何れかを要求する。
【０２６６】
暗号化コンテンツを要求されると、メモリカードは、既に説明したように、暗号化コンテンツ３３５を携帯電話１００へ出力し、再生が終了した時に視聴料金を算出する。
メモリカード３００の制御部３０７は、暗号化コンテンツを要求されると、暗号化広告コンテンツ、暗号化コンテンツ鍵及び再生鍵を出力すると同時に、広告コンテンツの再生時間（以下、広告再生時間）の計測を開始する。広告コンテンツの再生が終了又は中止された時に、広告再生時間の計測を中止し、割引する金額を算出する。算出方法は、例えば、１分の視聴に付き割引する料金「３円」を予め記憶しておき、広告再生時間と「３円」の積を割引金額とする。
【０２６７】
退場時の処理の際、精算部３０６は、制御部３０７から運賃を受け取り、精算を指示されると、情報記憶部３１０から視聴料金３３９と割引金額とを読み出し、受け取った運賃と読み出した視聴料金３３９との和から割引料金を差し引いた支払い金額を算出する。
実施の形態１において、運賃と読み出した視聴料金３３９との和に代わって、支払い金額を用いて以後の処理を行う。
【０２６８】
また、実施の形態２及び３でも、同様に、広告コンテンツの再生時間に応じて、視聴料金を割り引くようにしてもよい。
さらに、生成時間に代わって、広告コンテンツの再生回数を計数し、再生回数に応じて、視聴料金を割り引くようにしてもよい。広告コンテンツが、静止画像や、テキストデータであれば、視聴した文字数、ページ数、データ量に応じて割引料金を算出してもよい。
【０２６９】
（２７）  実施の形態１において、利用者が駅の外でコンテンツを再生しようとした場合、つまり、入場フラグ３３２が「０」のときにコンテンツ要求信号を受け取った場合、メモリカード３００は、入場時の処理を行っておらず再生鍵を取得していないことを示すエラー信号を携帯電話１００へ出力し、携帯電話１００は、再生ができない旨を通知する画面を表示する。
【０２７０】
しかし、駅の外で再生しようとした場合のメモリカード３００及び携帯電話１００の動作は、これに限ったものではなく、再生可能な鉄道会社や路線を利用者に案内する案内画面を表示してもよい。
例えば、メモリカード３００のセキュア領域３２１に記憶されている再生情報には、コンテンツのタイトル及びコンテンツ配信メーカ２５と提携している鉄道会社の名称、各鉄道会社に固有の識別子が含まれている。一般領域３３１に暗号化コンテンツが複数記憶されている場合、各暗号化コンテンツと対応する再生情報それぞれに含まれる鉄道会社の名称名及び識別子が異なっていてもよい。また、一般領域に、後述する案内画面を生成するための案内画面データを記憶している。
【０２７１】
メモリカード３００の制御部３０７は、自動改札機との間の入場時の処理において、自動改札機から、当該自動改札機を含む鉄道を運営している鉄道会社を示す識別子を再生鍵と合わせて取得し、退場処理の際に、再生鍵と合わせて受け取った識別子を削除する。
携帯電話１００は、メモリカード３００の記憶している各再生情報からタイトルとコンテンツＩＤを読み出し、読み出したタイトルをリスト表示する画面を生成して表示し、利用者に視聴したいコンテンツのタイトルを選択させる。次に、選択されたタイトルと対応するコンテンツＩＤとコンテンツ要求信号をメモリカード３００へ出力する。
【０２７２】
メモリカード３００の制御部３０７は、情報記憶部３１０内に再生鍵が存在し、かつ、携帯電話１００から受け取ったコンテンツＩＤと対応する再生情報に含まれる識別子と自動改札機から受け取った識別子とが一致する場合に受け取ったコンテンツＩＤと対応する暗号化コンテンツを携帯電話１００へ出力する。
それ以外の場合には、制御部３０７は、再生ができないことを示すエラー信号と、受け取ったコンテンツＩＤと対応する再生情報に含まれる鉄道会社の名称「〇〇〇鉄道」と、記憶している案内画面データとを、携帯電話１００へ出力する。
【０２７３】
携帯電話１００は、エラー信号と鉄道会社の名称と案内画面データとを受け取ると、受け取った名称と案内画面データとを用いて、例えば「選択されたコンテンツは、〇〇〇鉄道各駅及び車両内でご覧いただけます」といった、内容を表示する案内画面を生成し、表示部１１３に表示する。
実施の形態３でも、同様にしても良いし、実施の形態２でも、再生可能な地域を通知する画面を表示してもよい。特に、実施の形態３においては、より詳細に、在来線ではプレビューのみ、特急では、メインコンテンツの視聴が可能である旨を表示してもよい。
【０２７４】
（２８）  実施の形態１及び３では、メモリカードは、自動改札機から再生鍵を受け取り、受け取った再生鍵と暗号化コンテンツ鍵と暗号化コンテンツとを携帯電話へ出力しているが、この構成に限るものではない。
例えば、予め、メモリカード自身が再生鍵を記憶しており、携帯電話からコンテンツ要求信号を受け取った際に、入場フラグが「１」であれば、再生鍵と暗号化コンテンツ鍵と暗号化コンテンツとを携帯電話へ出力してもよい。
【０２７５】
また、再生鍵は、必ずしも必要ではなく、メモリカードは、暗号化コンテンツ鍵に代わって、コンテンツ鍵を記憶しており、携帯電話へコンテンツ鍵と暗号化コンテンツとを出力してもよい。
（２９）  また、上記の実施の形態１〜３及び変形例において、暗号化コンテンツを復号する機能をメモリカードが備えているとしてもよい。
【０２７６】
（３０）  実施の形態１及び３において、メモリカードと自動改札機との間で、退場時の処理を行う際、自動改札機は、メモリカードへ鍵消去指示を送信し、続いて、精算完了信号を送信し、退場時の処理を終了している（図１６ステップＳ２２３〜ステップＳ２２９参照）。ここでは、メモリカードが、自動改札機からの指示に従って、正常に再生鍵を消去することを前提としているが、鍵消去指示を送信した後、自動改札機が、確実に、再生鍵が消去されたことを確認してもよい。
【０２７７】
例えば、鍵消去指示受信し、再生鍵を消去した後、メモリカードは、自動改札機へ、正常に再生鍵の消去が完了したことを示す消去完了通知を、自動改札機へ送信する。
自動改札機は、鍵消去指示を送信した後、時間を計測し、所定時間内に消去完了通知を受信すると、精算完了信号を送信する。精算完了信号を送信する際に、ゲートが閉まっている場合、ゲートを開く。
【０２７８】
鍵消去指示を送信してから、所定時間内に消去完了通知を受信しなかった場合、ゲートを閉鎖する。
このように、鍵消去が完了したことを、ゲート装置が確認することで、駅構内から退場した後の、コンテンツの不正な再生をより確実に防止することができる。
また、実施の形態３において、特急用改札機とメモリカードとの間の退場処理においても同様に、メモリカード７００は、再生レベル７２４を「２」から「１」に正常に書き換えたことを通知する信号を、特急用改札機へ送信し、特急用改札機は、前記信号を受信した場合扉を開放し、前記信号を受信できなかった場合、扉を閉鎖しても良い。
【０２７９】
（３１）  また、本発明は、ゲートの内外でコンテンツの再生を、許可又は禁止する再生制御装置であって、ゲートに設けられたゲート装置から、ゲートの通過を示す通過情報を取得する取得手段と、前記通過情報を基に、前記コンテンツの再生を許可するか否かを判断する判断手段と、前記判断に基づいて、前記コンテンツの再生を許可又は禁止する再生制御手段とを備えることを特徴とする再生制御装置でもある。本変形例について、以下に、具体的に説明する。
【０２８０】
メモリカードは、予め、暗号化コンテンツとコンテンツ鍵と携帯電話にコンテンツの再生を許可するか否かを示す許可フラグを記憶している。許可フラグ「１」は許可を示し、許可フラグ「０」は、禁止を示す。また、メモリカードと自動改札機との間の通信回数を計数する通信カウンタを備える。通信カウンタは、メモリカードの販売（配布）の時点では、「０」に設定されている。
【０２８１】
自動改札機は、例えば、博物館などの入り口に設置されている。自動改札機は、メモリカードを装着した携帯電話を所持した利用者が、博物館に入退場する際に、携帯電話を介して、メモリカードと通信する。
メモリカードと自動改札機との間の通信は、入場時も退場時も同一であり、非常に単純である。まず、自動改札機は、定期的に通信開始信号を発信しており、メモリカードは、携帯電話を介して通信開始信号を受信する。通信開始信号を受信すると、メモリカードは、自動改札機に、応答信号を送信し、続いて、自動改札機との間で機器認証を行う。機器認証が成功であれば、自動改札機は通信完了通知をメモリカードへ送信する。メモリカードは、携帯電話を介して完了通知を受信し、通信カウンタに１加算する。ここで、通信カウンタの値が偶数であれば、許可フラグを「０」に設定し、通信回数が奇数であれば、許可フラグを「１」に設定する。
【０２８２】
このように、通信を簡略化し、自動改札機の通過の回数をカウントすることにより、メモリカードが、コンテンツの再生の許可・禁止を決定する。
（３２）  実施の形態１〜３及び上記の変形例において、メモリカードが携帯電話に装着され利用されているが、メモリカードと同様の機能を有する、ＩＣチップが携帯電話に内蔵されているとしてもよい。
【０２８３】
また、ＩＣチップは、前記実施の携帯の認証部、精算部及び制御部１０７の一部に相当する機能のみを備え、自動改札機と間の入場及び退場の処理、電子マネーの精算処理、コンテンツの視聴の可否の判断を行いうとしてもよい。この場合、暗号化コンテンツ及び暗号化コンテンツ鍵は、メモリカードなどの外付けの記録媒体に記憶されている。
また、メモリカードは、携帯電話を介して、自動改札機と通信を行っているが、メモリカードが非接触ＩＣカードであり、直接、自動改札機との間で無線通信を行うとしてもよい。
【０２８４】
（３３）  実施の形態１及び２では、コンテンツを再生する媒体を携帯電話としているが、ＰＤＡ（Ｐｅｒｓｏｎａｌ  Ｄｉｇｉｔａｌ  Ａｓｓｉｓｔａｎｔｓ）、携帯型ゲーム機などでもよい。
（３４）  これらの方法をコンピュータにより実現するコンピュータプログラムであるとしてもよいし、前記コンピュータプログラムからなるデジタル信号であるとしてもよい。
【０２８５】
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されている前記コンピュータプログラム又は前記デジタル信号であるとしてもよい。
【０２８６】
また、本発明は、前記コンピュータプログラム又は前記デジタル信号を、電気通信回線、無線又は有線通信回線、インターネットを代表とするネットワーク、データ放送等を経由して伝送するものとしてもよい。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしてもよい。
【０２８７】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（３５）  上記の各装置を構成する構成要素の一部又は全部は、１個のシステムＬＳＩ（Large ScaleIntegration：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムに従って動作することにより、システムＬＳＩは、その機能を達成する。
【０２８８】
本発明の一態様は、ゲートの内外でコンテンツの再生を、許可又は禁止する再生制御装置であって、ゲートに設置されたゲート装置から、ゲート内への入場を示す入場情報及びゲート外への退場を示す退場情報を取得する取得手段と、前記入場情報を取得する場合に、前記入場情報により、前記コンテンツの少なくとも一部分の再生を許可し、前記退場情報を取得する場合に、前記退場情報により、前記コンテンツの再生を禁止する再生制御手段とを備えることを特徴とする。
ここで、前記再生制御装置は、携帯端末であるとしてもよいし、前記携帯端末は、さらに、前記再生制御手段が前記コンテンツの再生を許可する場合に、前記コンテンツを再生する再生手段を備えることを特徴とするとしてもよい。
現在では、多くの人が携帯電話を初めとする携帯端末を常時携帯している。従って、本発明の再生制御装置が、携帯端末という形態であることによりで、普及しやすく、産業上の利用可能性が高くなる。また、前記携帯電話は、前記コンテンツを再生する再生手段を備えているので、利用者は、前記携帯電話を所持していれば、他の再生機器を必要とせずに、前記コンテンツを視聴することができる。
また、前記携帯端末は、インターネットを介して前記コンテンツを取得することを特徴とする。
この構成によると、前記携帯端末は、インターネットを介して前記コンテンツを取得ので、利用者は、販売店等に立ち寄り、前記コンテンツ又は前記コンテンツを記憶した記録メディアを購入する必要がなく、容易に前記コンテンツを取得できる。
また、前記再生制御装置は、再生装置であって、前記再生制御手段が、前記コンテンツの再生を許可する場合に、前記コンテンツを再生する再生手段を備える構成であっても良い。
この構成によると、前記再生装置は、前記入場情報及び前記退場情報を取得し、前記入場情報を取得する場合に、前記コンテンツの再生を許可し、前記コンテンツの再生を許可する場合に、前記コンテンツを再生する。よって、利用者は、前記ゲート内において、他の再生機器を必要とせずに前記コンテンツを視聴することができる。
また、本発明の一態様は、ゲートに設けられ、ゲートの開閉を制御することで、再生制御装置の入退場を制御するゲート装置であって、前記再生制御装置は、ゲートの内外でコンテンツの再生を許可又は禁止し、前記ゲート装置は、前記再生制御装置を検出する検出手段と、前記再生制御装置を検出すると、ゲート内への入場を示す入場情報又はゲート内からの退場を示す退場情報を前記再生制御装置へ送信する送信手段とを備えることを特徴とする。
この構成によると、前記ゲート装置は、前記再生制御装置を検出すると、前記再生制御装置へ、入場情報又は退場情報を出力するため、前記再生制御装置は、入場情報又は退場情報を取得することで、ゲートの内外を区別し、コンテンツの再生を制御することができる。
また、前記再生制御装置は、前記退場情報を受信した場合、前記コンテンツの再生を禁止し、前記コンテンツを禁止したことを示す禁止完了情報を送信し、前記ゲート装置は、さらに、前記再生制御装置から、前記禁止完了情報を受信する受信手段と、前記受信手段によって、前記禁止完了情報が正常に受信されたか否かを判断する判断手段と、正常に受信されなかったと判断された場合、前記ゲートを閉鎖する開閉制御手段とを備えることを特徴とする。
この構成によると、前記開閉制御手段は、前記禁止完了情報が正常に受信されなかったと判断された場合、前記ゲートを閉鎖するため、前記ゲート外での、前記コンテンツの不正な再生を、より確実に防止することができる。
（３６）  上記実施の形態及び上記変形例をそれぞれ組み合わせるとしてもよい。
【産業上の利用可能性】
【０２８９】
本発明は、映像、音声及びテキストデータからなる各種コンテンツを生産し、記録媒体又はネットワークを介して、前記コンテンツを販売、貸与、譲渡する産業、また、前記コンテンツを処理するコンピュータシステムを含む各種の電気機器を製造し販売する産業において、経営的、反復的、継続的に使用される。また、電車、バス、航空機等の交通機関を提供する産業、演劇、映画といった娯楽を提供する産業において、反復的経営的、継続的に使用される。
【図面の簡単な説明】
【０２９０】
【図１】場所限定コンテンツ利用システム１の構成を示す構成図である。
【図２】コンテンツ管理装置２００の構成を示すブロック図である。
【図３】コンテンツ情報記憶部２１１に記憶されている情報の一例を示す。
【図４】コンテンツ情報表２２１の詳細を示す。
【図５】メモリカード３００の構成を示すブロック図である。
【図６】電子マネーチャージャー６００の構成を示すブロック図である。
【図７】電子マネーチャージャー６００の表示部６１３に表示される画面の一例である。
【図８】携帯電話１００の構成を示すブロック図である。
【図９】自動改札機４００の構成を示すブロック図である。
【図１０】情報記憶部４１０に記憶されている情報の一例である。
【図１１】運賃表４４１の詳細を示す。
【図１２】電子マネーチャージャー６００及びメモリカード３００による電子マネーの入金処理の動作を示したフローチャートである。
【図１３】入場時の処理における、自動改札機４００、携帯電話１００及びメモリカード３００の動作を示すフローチャートである。
【図１４】携帯電話１００によるコンテンツ再生処理の動作を示すフローチャートである。
【図１５】退場時の処理における、自動改札機４００、携帯電話１００及びメモリカード３００の動作を示すフローチャートである。図１６へ続く。
【図１６】退場時の処理における、自動改札機４００、携帯電話１００及びメモリカード３００の動作を示すフローチャートである。図１５から続く。
【図１７】２つの機器間での機器認証の動作を示すフローチャートである。図１８へ続く。
【図１８】２つの機器間での機器認証の動作を示すフローチャートである。図１７から続く。
【図１９】場所限定コンテンツ利用システム１における、各機器間で送受信される情報の流れを示す。
【図２０】場所限定コンテンツ利用システム１における、各機器間で送受信される情報の流れを示す。
【図２１】地域限定コンテンツ利用システム２の構成を示す構成図である。
【図２２】コンテンツ情報記憶部２６１に記憶されている情報の一例を示す。
【図２３】視聴地域表２７１の詳細を示す。
【図２４】メモリカード３５０の構成を示すブロック図である。
【図２５】再生情報３８３及び現在地情報３８５の詳細を示す。
【図２６】携帯電話１５０の構成を示すブロック図である。
【図２７】メモリカード３５０の動作を示すフローチャートである。
【図２８】メモリカード３５０による位置判断処理の動作を示すフローチャートである。
【図２９】メモリカード３５０から携帯電話１５０へのコンテンツ出力の動作を示すフローチャートである。
【図３０】メモリカード３５０によるコンテンツの出力終了チェックの動作を示すフローチャートである。図３１へ続く。
【図３１】メモリカード３５０によるコンテンツの出力終了チェックの動作を示すフローチャートである。図３０から続く。
【図３２】実施の形態３におけるメモリカード７００の構成を示すブロック図である。
【符号の説明】
【０２９１】
１    場所限定コンテンツ利用システム
２    地域限定コンテンツ利用システム
１０    携帯電話網
１５    基地局
１６    ＧＰＳ衛星
２０    インターネット
２５    コンテンツ配信メーカ
３０    販売店
３５    列車
１００    携帯電話
１５０    携帯電話
２００    コンテンツ管理装置
２５０    コンテンツ管理装置
３００    メモリカード
３５０    メモリカード
４２０    自動改札機
６００    電子マネーチャージャー
７００    メモリカード
【図１】
0004806349.tif 000002
【図２】
0004806349.tif 000003
【図３】
0004806349.tif 000004
【図４】
0004806349.tif 000005
【図５】
0004806349.tif 000006
【図６】
0004806349.tif 000007
【図７】
0004806349.tif 000008
【図８】
0004806349.tif 000009
【図９】
0004806349.tif 000010
【図１０】
0004806349.tif 000011
【図１１】
0004806349.tif 000012
【図１２】
0004806349.tif 000013
【図１３】
0004806349.tif 000014
【図１４】
0004806349.tif 000015
【図１５】
0004806349.tif 000016
【図１６】
0004806349.tif 000017
【図１７】
0004806349.tif 000018
【図１８】
0004806349.tif 000019
【図１９】
0004806349.tif 000020
【図２０】
0004806349.tif 000021
【図２１】
0004806349.tif 000022
【図２２】
0004806349.tif 000023
【図２３】
0004806349.tif 000024
【図２４】
0004806349.tif 000025
【図２５】
0004806349.tif 000026
【図２６】
0004806349.tif 000027
【図２７】
0004806349.tif 000028
【図２８】
0004806349.tif 000029
【図２９】
0004806349.tif 000030
【図３０】
0004806349.tif 000031
【図３１】
0004806349.tif 000032
【図３２】
0004806349.tif 000033